(57)【要約】【課題】ディスクカートリッジの位置検出と位置固定を確実に行う。【解決手段】ディスクカートリッジ１１の凹部２８に係合されるロック部材１３１が取り付けられたロックアーム１３２と、カートリッジホルダ６８に排出側に回動付勢され、ロックアーム１３２を押し上げる挿入検出部材１３３と、ロックアーム１３２によって押圧される検出スイッチ１３４とを備える。待ち受け時、挿入検出部材１３３は、押上片１３３ｃでロックアーム１３２を押し上げ、挿入検出部材１３３は、ディスクカートリッジ１１が挿入されると回動し、押上片１３３ｃがロックアーム１３２から外れ、ロック部材１３１がカートリッジホルダ６８に挿入されたディスクカートリッジ１１でロックアーム１３２を押し上げ、ロック部材１３１がロックアーム１３２の付勢力によってディスクカートリッジ１１の凹部２８に係合すると、検出スイッチ１３４は、ロックアーム１３２に形成されたスイッチ押圧片１３２ａに押圧される。【選択図】図３８
2008117448.tif 000002
【特許請求の範囲】
【請求項１】
記録及び／又は再生用の第１の開口部が形成されたカートリッジ本体と、上記カートリッジ本体内に回転可能に収納されると共に、ディスクが回転可能に収納され、上記第１の開口部に対応して第２の開口部が形成されたインナーロータと、上記インナーロータに回動可能に取り付けられ、上記インナーロータの回転に連動して回動し、上記第１の開口部と上記第２の開口部とが一致したときに上記第１及び第２の開口部を開放し、上記インナーロータに収納されたディスクを外部に臨ませる一対のシャッタ部材とを備え、上記カートリッジ本体に凹部が形成されたディスクカートリッジの検出装置において、
上記ディスクカートリッジを保持するカートリッジホルダと、
上記カートリッジホルダに取り付けられ、一端部に、上記ディスクカートリッジの凹部に係合されるロック部材が取り付けられ、上記カートリッジホルダの内側に向かって付勢されたロックアームと、
上記カートリッジホルダに上記ディスクカートリッジの挿入方向に回動可能に取り付けられ、上記ディスクカートリッジの挿入方向と反対方向に回動付勢されていると共に、上記ロックアームを押し上げる押上部を有し、上記ディスクカートリッジの挿入端によって押圧され付勢力に抗して回動する挿入検出部材と、
検出子が上記ロックアームに形成されたスイッチ押圧片によって押圧されて上記カートリッジホルダの所定位置に挿入されロックされたことを検出する検出スイッチとを備え、
上記ディスクカートリッジが上記カートリッジホルダに挿入される前、上記挿入検出部材は、上記押上部で上記ロックアームを押し上げており、
上記挿入検出部材は、上記カートリッジホルダに挿入されたディスクカートリッジの挿入端によって押されると回動して、上記押上部が上記ロックアームから外れ、連続して、上記ロック部材が上記カートリッジホルダに挿入されたディスクカートリッジに当接して上記ロックアームを押し上げ、
上記ロック部材が上記ロックアームの付勢力によって上記ディスクカートリッジの凹部に係合すると、上記検出スイッチは、上記ロックアームに形成されたスイッチ押圧片によって検出子が押圧され、上記ディスクカートリッジが上記カートリッジホルダの所定位置に挿入されロックされたことを検出することを特徴とするディスクカートリッジの検出装置。
【請求項２】
上記カートリッジホルダには、上記ディスクカートリッジを記録再生位置にローディングするスライド可能なメインラックが取り付けられており、
上記メインラックには、上記ディスクカートリッジの排出時に、上記ロックアームを押し上げ、上記ロック部材を上記ディスクカートリッジの凹部より待避させるカム片が形成されていることを特徴とする請求項１記載のディスクカートリッジの検出装置。
【請求項３】
上記ディスクカートリッジは、上記カートリッジホルダ内の所定位置まで搬送ローラによって搬送され、
上記検出スイッチが上記ディスクカートリッジが所定位置に至ったことを検出したとき、上記シャッタの開閉動作が開始されることを特徴とする請求項１記載のディスクカートリッジの検出装置。
【請求項４】
記録及び／又は再生用の第１の開口部が形成されたカートリッジ本体と、上記カートリッジ本体内に回転可能に収納されると共に、ディスクが回転可能に収納され、上記第１の開口部に対応して第２の開口部が形成されたインナーロータと、上記インナーロータに回動可能に取り付けられ、上記インナーロータの回転に連動して回動し、上記第１の開口部と上記第２の開口部とが一致したときに上記第１及び第２の開口部を開放し、上記インナーロータに収納されたディスクを外部に臨ませる一対のシャッタ部材とを備え、上記カートリッジ本体に凹部が形成されたディスクカートリッジのローディング装置において、
上記ディスクカートリッジを保持するカートリッジホルダと、
上記ディスクカートリッジを搬送ローラによって上記カートリッジホルダ内の所定位置まで搬送すると共に、この所定位置にあるディスクカートリッジを外に搬送するローディング機構と、
上記カートリッジホルダに取り付けられ、一端部に、上記ディスクカートリッジの凹部に係合されるロック部材が取り付けられ、上記カートリッジホルダの内側に向かって付勢されたロックアームと、
上記カートリッジホルダに上記ディスクカートリッジの挿入方向に回動可能に取り付けられ、上記ディスクカートリッジの挿入方向と反対方向に回動付勢されていると共に、上記ロックアームを押し上げる押上部を有し、上記ディスクカートリッジの挿入端によって押圧され付勢力に抗して回動する挿入検出部材と、
検出子が上記ロックアームに形成されたスイッチ押圧片によって押圧されて上記カートリッジホルダの所定位置に挿入されロックされたことを検出する検出スイッチとを備え、
上記ディスクカートリッジが上記カートリッジホルダに挿入される前、上記挿入検出部材は、上記押上部で上記ロックアームを押し上げており、
上記挿入検出部材は、上記カートリッジホルダに挿入されたディスクカートリッジの挿入端によって押されると回動して、上記押上部が上記ロックアームから外れ、連続して、上記ロック部材が上記カートリッジホルダに挿入されたディスクカートリッジに当接して上記ロックアームを押し上げ、
上記ロック部材が上記ロックアームの付勢力によって上記ディスクカートリッジの凹部に係合すると、上記検出スイッチは、上記ロックアームに形成されたスイッチ押圧片によって検出子が押圧され、上記ディスクカートリッジが上記カートリッジホルダの所定位置に挿入されロックされたことを検出し、上記検出スイッチが上記ディスクカートリッジが所定位置に至ったことを検出したとき、上記シャッタ板の開閉動作が開始されることを特徴とするディスクカートリッジのローディング装置。
【請求項５】
上記カートリッジホルダには、上記ディスクカートリッジを記録再生位置にローディングするスライド可能なメインラックが取り付けられており、
上記メインラックには、上記ディスクカートリッジの排出時に、上記ロックアームを押し上げ、上記ロック部材を上記ディスクカートリッジの凹部より待避させるカム片が形成されていることを特徴とする請求項４記載のディスクカートリッジのローディング装置。
【発明の詳細な説明】
【技術分野】
【０００１】
本発明は、ディスクカートリッジが上記カートリッジホルダの所定位置に挿入されロックされたことを検出するディスクカートリッジの検出装置及びこれを備えたディスクカートリッジのローディング装置に関する。
【背景技術】
【０００２】
下記特許文献１のディスクカートリッジ及び記録及び／又は再生装置は、記録媒体に極めて高密度記録が可能な光ディスクが用いられており、例えば放送業務用光ディスクシステムに用いられている。このディスクカートリッジは、記録及び／又は再生用の第１の開口部が形成されたカートリッジ本体と、このカートリッジ本体内に回転可能に収納されると共にディスクが回転可能に収納され、第１の開口部に対応して第２の開口部が形成されたインナーロータと、インナーロータに回動可能に取り付けられ、このインナーロータの回転に連動して回動し、第１の開口部と上記第２の開口部とが一致したときに第１及び第２の開口部を開放し、インナーロータに収納されたディスクを外部に臨ませる一対のシャッタ部材とを備えている。そして、インナーロータの周面には、ギヤ部が形成されると共にこのギヤ部の一方の側に第１の係合凹部が形成され、このギヤ部の他方の側に第２の係合凹部が形成されている。
【０００３】
このインナーロータを回転する記録及び／又は再生装置側ののシャッタ開閉装置は、インナーロータのギヤ部に噛合するラックギヤ部と、このラックギヤ部の一方の側に形成された第１の係合突起と、このラック部の他方の側に形成された第２のギヤ部とが形成されたシャッタラック部材を有している。
【０００４】
このシャッタラック部材の第１の係合突起は、ディスクカートリッジが挿入されたとき、最初に、インナーロータの第１の係合凹部に係合し、シャッタラック部材が一方向にスライドすることによってインナーロータを一方向に回転し、第２の係合突起は、インナーロータが回転しきって一対のシャッタ部材が第１及び第２の開口部を開放したとき、インナーロータの第２の係合凹部に係合して、一対のシャッタ部材が第１及び第２の開口部を開放した状態を保持するようにしている。
【０００５】
ディスクカートリッジを排出するときには、先ず、インナーロータの第２の係合凹部に係合している第２の係合突起によってインナーロータを回転を開始し、シャッタラック部材が他方向にスライドすることによって、一対のシャッタ部材が第１及び第２の開口部を閉塞するようにインナーロータを他方向に回転する。そして、一対のシャッタ部材が第１及び第２の開口部を閉塞するようにインナーロータが回転しきったとき、第１の係合突起がインナーロータの第１の係合凹部に係合した状態となっている。ここから、ディスクカートリッジは、ローディング機構等によって記録及び／又は再生装置外に排出されることになる。
【０００６】
ところで、記録及び／又は再生装置では、ディスクカートリッジの光ディスクをスピンドルモータに確実にチャッキングさせる必要があるため、ディスクカートリッジがカートリッジホルダ内の所定位置まで到達したことの検出に加え、このシャッター開放過程で加わる反力によりディスクカートリッジが位置ずれしないための固定が完了したことを検出する必要がある。
【０００７】
仮に、一方だけの検出で動作を行おうとすると位置固定されないままシャッタ部材を開放し、位置ずれを起こしたり位置固定のみされてカートリッジが取り出せなったりするなどの不具合が発生することが予想されるため電気的、機構的何れであっても両方の検出が必要となる。
【０００８】
【特許文献１】特開２００４−３１０８９３号公報
【発明の開示】
【発明が解決しようとする課題】
【０００９】
本発明は、以上のような問題点に鑑みてなされたものであり、その目的は、ディスクカートリッジの位置検出と位置固定を確実に行うことができるディスクカートリッジの検出装置及びこれを備えたディスクカートリッジのローディング装置を提供することにある。
【課題を解決するための手段】
【００１０】
本発明に係るディスクカートリッジの検出装置は、記録及び／又は再生用の第１の開口部が形成されたカートリッジ本体と、上記カートリッジ本体内に回転可能に収納されると共に、ディスクが回転可能に収納され、上記第１の開口部に対応して第２の開口部が形成されたインナーロータと、上記インナーロータに回動可能に取り付けられ、上記インナーロータの回転に連動して回動し、上記第１の開口部と上記第２の開口部とが一致したときに上記第１及び第２の開口部を開放し、上記インナーロータに収納されたディスクを外部に臨ませる一対のシャッタ部材とを備え、上記カートリッジ本体に凹部が形成されたディスクカートリッジの検出装置であって、上記ディスクカートリッジを保持するカートリッジホルダと、上記カートリッジホルダに取り付けられ、一端部に、上記ディスクカートリッジの凹部に係合されるロック部材が取り付けられ、上記カートリッジホルダの内側に向かって付勢されたロックアームと、上記カートリッジホルダに上記ディスクカートリッジの挿入方向に回動可能に取り付けられ、上記ディスクカートリッジの挿入方向と反対方向に回動付勢されていると共に、上記ロックアームを押し上げる押上部を有し、上記ディスクカートリッジの挿入端によって押圧され付勢力に抗して回動する挿入検出部材と、検出子が上記ロックアームに形成されたスイッチ押圧片によって押圧されて上記カートリッジホルダの所定位置に挿入されロックされたことを検出する検出スイッチとを備える。上記ディスクカートリッジが上記カートリッジホルダに挿入される前、上記挿入検出部材は、上記押上部で上記ロックアームを押し上げており、上記挿入検出部材は、上記カートリッジホルダに挿入されたディスクカートリッジの挿入端によって押されると回動して、上記押上部が上記ロックアームから外れ、連続して、上記ロック部材が上記カートリッジホルダに挿入されたディスクカートリッジに当接して上記ロックアームを押し上げ、上記ロック部材が上記ロックアームの付勢力によって上記ディスクカートリッジの凹部に係合すると、上記検出スイッチは、上記ロックアームに形成されたスイッチ押圧片によって検出子が押圧され、上記ディスクカートリッジが上記カートリッジホルダの所定位置に挿入されロックされたことを検出する。
【００１１】
また、本発明に係るディスクカートリッジのローディング装置は、記録及び／又は再生用の第１の開口部が形成されたカートリッジ本体と、上記カートリッジ本体内に回転可能に収納されると共に、ディスクが回転可能に収納され、上記第１の開口部に対応して第２の開口部が形成されたインナーロータと、上記インナーロータに回動可能に取り付けられ、上記インナーロータの回転に連動して回動し、上記第１の開口部と上記第２の開口部とが一致したときに上記第１及び第２の開口部を開放し、上記インナーロータに収納されたディスクを外部に臨ませる一対のシャッタ部材とを備え、上記カートリッジ本体に凹部が形成されたディスクカートリッジのローディング装置であって、上記ディスクカートリッジを保持するカートリッジホルダと、上記ディスクカートリッジを搬送ローラによって上記カートリッジホルダ内の所定位置まで搬送すると共に、この所定位置にあるディスクカートリッジを外に搬送するローディング機構と、上記カートリッジホルダに取り付けられ、一端部に、上記ディスクカートリッジの凹部に係合されるロック部材が取り付けられ、上記カートリッジホルダの内側に向かって付勢されたロックアームと、上記カートリッジホルダに上記ディスクカートリッジの挿入方向に回動可能に取り付けられ、上記ディスクカートリッジの挿入方向と反対方向に回動付勢されていると共に、上記ロックアームを押し上げる押上部を有し、上記ディスクカートリッジの挿入端によって押圧され付勢力に抗して回動する挿入検出部材と、検出子が上記ロックアームに形成されたスイッチ押圧片によって押圧されて上記カートリッジホルダの所定位置に挿入されロックされたことを検出する検出スイッチとを備える。そして、上記ディスクカートリッジが上記カートリッジホルダに挿入される前、上記挿入検出部材は、上記押上部で上記ロックアームを押し上げており、上記挿入検出部材は、上記カートリッジホルダに挿入されたディスクカートリッジの挿入端によって押されると回動して、上記押上部が上記ロックアームから外れ、連続して、上記ロック部材が上記カートリッジホルダに挿入されたディスクカートリッジに当接して上記ロックアームを押し上げ、上記ロック部材が上記ロックアームの付勢力によって上記ディスクカートリッジの凹部に係合すると、上記検出スイッチは、上記ロックアームに形成されたスイッチ押圧片によって検出子が押圧され、上記ディスクカートリッジが上記カートリッジホルダの所定位置に挿入されロックされたことを検出し、上記検出スイッチが上記ディスクカートリッジが所定位置に至ったことを検出したとき、上記シャッタ板の開閉動作が開始される。
【発明の効果】
【００１２】
本発明によれば、ディスクカートリッジがカートリッジホルダに挿入される前、挿入検出部材は、押上部でロックアームを押し上げており、挿入検出部材は、カートリッジホルダに挿入されたディスクカートリッジの挿入端によって押されると回動して、押上部がロックアームから外れ、連続して、ロック部材がカートリッジホルダに挿入されたディスクカートリッジに当接してロックアームを押し上げ、ロック部材がロックアームの付勢力によってディスクカートリッジの凹部に係合すると、検出スイッチは、ロックアームに形成されたスイッチ押圧片によって検出子が押圧され、ディスクカートリッジがカートリッジホルダの所定位置に挿入されロックされたことを検出するので、ディスクカートリッジの位置検出と位置固定を確実に行うことができる。
【発明を実施するための最良の形態】
【００１３】
第１  標準的大きさの第１のディスクカートリッジ（図１乃至図６参照）
本発明が適用された記録再生装置に装着可能な標準的大きさの第１のディスクカートリッジ１１について図面を参照して説明する。図１乃至図３に示すように、この第１のディスクカートリッジ１１は、記録媒体となる第１の光ディスク１３を第１のカートリッジ本体１２内に回転可能してなるものであって、具体的に、第１のカートリッジ本体１２の内部に、第１の光ディスク１３を回転可能に収納するインナーロータ１４と一対のシャッタ板１５ａ，１５ｂとを収納している。
【００１４】
この第１のディスクカートリッジ１１に収納された第１の光ディスク１３は、図２に示すように、例えばＣＤやＤＶＤと同じ直径を１２ｃｍとなし、中心部に、記録再生装置側のディスク回転駆動機構が係合されるセンタ孔１３ｂが形成されている。この第１の光ディスク１３は、光ビームが照射される信号記録面１３ａ側に、合成樹脂基板の一方の面にランドとグルーブからなる所定パターンを形成し、この所定パターン上に光ビームを反射する反射層を設け、この反射層上に相変化材料、有機色素材料等からなる信号記録層を設け、この信号記録層上に光透過層を設け、光透過層側から光ビームを照射し、ランド及び／又はグルーブにデータを記録するようになっている。この第１の光ディスク１３では、記録及び／又は再生に当たって、波長が４００ｎｍ程度の光ビームを用い、光ピックアップの対物レンズに、ＣＤやＤＶＤで用いる対物レンズより高開口数のものを用いることで、ＣＤやＤＶＤより高密度に、静止画データ、動画データ、楽曲データ、コンピュータで処理される処理データ等のデータを記録することができる。なお、ディスクとしては、この他に、光磁気ディスク、磁気ディスク等を用いても良い。また、ディスクとしては、その他、再生専用の光ディスク等の記録媒体を用いるようにしても良い。更に、ディスクとしては、クリーニングディスクが収納されていても良い。
【００１５】
以上のような第１の光ディスク１３を収納する第１のカートリッジ本体１２は、図２に示すように、上シェル１６と、この上シェル１６に突き合わされる２分割された下シェル１７とにより構成されている。
【００１６】
かくして構成された第１のカートリッジ本体１２の底面には、下シェル１７を構成するシェル半体１７ａ，１７ｂとの間に、記録再生装置の第１及び第２の光ピックアップ並びに記録再生装置のディスク回転駆動機構を構成するディスクテーブルが進入する記録及び／又は再生用の第１の開口部１８が形成される。この第１の開口部１８は、第１のカートリッジ本体１２の前面側が記録再生装置側の第１の光ピックアップが進入する開口部１８ａとなり、カートリッジ本体の背面側が第２の光ピックアップが進入する開口部１８ｂとなり、開口部１８ａと開口部１８ｂとの間の第１のカートリッジ本体１２の底面の略中央部がディスク回転駆動用の開口部１８ｃとなる。すなわち、開口部１８ａ，１８ｂは、記録再生装置の第１及び第２の光ピックアップを第１のカートリッジ本体１２の内部に進入させるのに足る大きさに形成されており、回転駆動用の開口部１８ｃは、記録再生装置のディスク回転駆動機構を構成するディスクテーブルを第１のカートリッジ本体１２の内部へと進入させるのに足る大きさに形成されている。
【００１７】
下シェル１７の内面には、図２に示すように、後述するシャッタ板１５ａ，１５ｂに長孔状に設けられたガイド孔２１，２１と係合するガイドピン１９，１９が形成されている。ガイドピン１９，１９は、インナーロータ１４の回動に従ってシャッタ板１５ａ，１５ｂが回動したときに、ガイド孔２１に沿って移動してシャッタ板１５ａ，１５ｂを回動させる。
【００１８】
下シェル１７が構成する第１のカートリッジ本体１２の下面には、図３に示すように、記録再生装置に装着した際の位置決めを行う複数の位置決め孔２２ａ，２２ｂが設けられている。一方の位置決め孔２２ａは、真円でロケーションホールとなり、他方の位置決め孔２２ｂは、楕円でアライメントホールとなっている。
【００１９】
以上のように構成された第１のカートリッジ本体１２に収納されるインナーロータ１４は、図２に示すように、主面部１４ａに、第１の光ディスク１３が信号記録面１３ａを対向させるようにして載置される。このインナーロータ１４には、下シェル１７に設けられた第１の開口部１８と略同じ大きさの第２の開口部２３が形成されている。
【００２０】
また、インナーロータ１４の外周面には、インナーロータ１４を回動させるためのギヤ部２４が形成されている。このギヤ部２４の一方の側には、記録再生装置側のシャッタ開閉機構を構成するシャッタラック部材１１１の第１の係合突起１１１ｂが係合される第１の係合凹部２５が形成され、ギヤ部２４の他方の側には、シャッタラック部材１１１の第２の係合突起１１１ｃが係合される第２の係合凹部２６が形成されている。第１の係合凹部２５は、第１のディスクカートリッジ１１を記録再生装置に装填したとき、最初にシャッタラック部材１１１の第１の係合突起１１１ｂが係合される。第２の係合凹部２６は、シャッタ板１５ａ，１５ｂが第１及び第２の開口部２３，４２の開放位置に移動したとき、シャッタラック部材１１１の第２の係合突起１１１ｃが係合される。また、インナーロータ１４には、図２に示すように、一対のシャッタ板１５ａ，１５ｂをそれぞれ回動可能に支持する一対の支軸２７ａ，２７ｂが突出形成されている。この一対の支軸２７ａ，２７ｂは、インナーロータ１４の中心部に対して点対称な位置、すなわち互いに１８０゜の位相差を有して配置されている。
【００２１】
このようなインナーロータ１４に取り付けられる第２の開口部２３を開閉する一対のシャッタ板１５ａ，１５ｂは、図２に示すように、互いに対称な形状をなし、インナーロータ１４の一対の支軸２７ａ，２７ｂに、１８０゜の位相差を有して回動可能に取り付けられている。このシャッタ板１５ａ，１５ｂは、略半円平板状に形成されており、基端部は、上述したインナーロータ１４の支軸２７ａ，２７ｂに回動可能に取り付けられる。
【００２２】
以上のような構成の第１のディスクカートリッジ１１には、上述した構成の他に、図示しないが、上シェル１６の内面略中央部にクランピングプレート２０が配設される。このクランピングプレート２０は、記録再生装置のディスク回転駆動部を構成するディスクテーブルと共に第１の光ディスク１３を回転可能に挟持する。また、この第１のディスクカートリッジ１１は、放送局等で用いられるプロフェッショナルディスクであり、民生用のディスクと識別するための識別凹部２８が第１のカートリッジ本体１２の前面側両側に形成されている。また、この第１のカートリッジ本体１２は、上シェル１６側の幅方向の中央領域であって、前面側から背面側に亘って膨出部が形成され、この膨出部が形成された第１の領域２９ａは、その厚さＴ１が９．１ｍｍとなっている。なお、この第１の領域２９ａの裏側に図示しないが第１の光ディスク１３をディスクテーブルと共に挟持するためのクランピングプレート２０が配設される。また、この第１の領域２９ａの周辺部分の第２の領域２９ｂの厚さＴ２は、第１の領域２９ａより薄い例えば７．８ｍｍとなっている。なお、厚さＴ１と厚さＴ２の関係は、Ｔ１＞Ｔ２であれば、その寸法は、特に限定されるものではない。
【００２３】
上述したような構成を有する第１のディスクカートリッジ１１が記録再生装置に装着される前には、図１、図３及び図４に示すような状態になっている。すなわち、一対のシャッタ板１５ａ，１５ｂは、第１の開口部１８の閉塞位置にロックされている。このとき、インナーロータ１４の第１の係合凹部２５は、第１のカートリッジ本体１２の一側面より外部に臨まされ、この状態で、第１のディスクカートリッジ１１は、略円弧の前面を挿入端として、記録再生装置に装填される。
【００２４】
第１のディスクカートリッジ１１は、記録再生装置に挿入されると、先ず、シャッタ板１５ａ，１５ｂの開放動作が開始する。すなわち、図５に示すように、第１のカートリッジ本体１２の一側面より外部に臨まされたインナーロータ１４の第１の係合凹部２５に、記録再生装置のシャッタラック部材１１１の第１の係合突起１１１ｂが係合することで、インナーロータ１４を回動可能な状態にし、更にシャッタラック部材１１１が第１のディスクカートリッジ１１の前方に進むことでインナーロータ１４を図５中矢印Ａ方向に回動し、次いで、シャッタラック部材１１１のラック部がギヤ部２４に噛合し、更に、シャッタラック部材１１１が第１のディスクカートリッジ１１の前方に進むことで、インナーロータ１４を回転する。これによって、インナーロータ１４のガイドピン１９にガイド孔２１が係合され、支軸２７ａ，２７ｂに軸支されたシャッタ板１５ａ，１５ｂは、支軸２７ａ，２７ｂを回動支点として、第１の開口部１８，４４を開放する図５中矢印Ｂ方向に回動する。
【００２５】
シャッタラック部材１１１のラック部とインナーロータ１４のギヤ部２４との噛合状態が終了すると、図６に示すように、シャッタ板１５ａ，１５ｂの回動動作が停止し、次いで、シャッタラック部材１１１の第２の係合突起１１１ｃは、インナーロータ１４の第２の係合凹部２６と係合する。これによって、シャッタ板１５ａ，１５ｂは、第１の開口部１８，４４を完全に解放した状態が保持されることになる。
【００２６】
この後、第１の開口部１８ｂからは、ディスク回転駆動機構を構成するディスクテーブルが進入し、このディスクテーブルは、第１の光ディスク１３のセンタ孔１３ｂに係合すると共にクランピングプレート２０とで第１の光ディスク１３を回転可能にクランプする。また、装着部に装着された第１のディスクカートリッジ１１の開放された第１の開口部１８からは、前面側及び／又は背面側から光ピックアップが進入する。そして、第１の光ディスク１３は、ディスク回転駆動機構によって回転駆動され、信号記録面１３ａに光ピックアップから出射された光ビームが照射され、光ピックアップが信号記録面１３ａで反射された戻りの光ビームを検出することで、情報信号の記録を行い、また、第１の光ディスク１３に記録されたデータの読み出しを行う。
【００２７】
一方、この記録再生装置から第１のディスクカートリッジ１１を排出する際は、上述したシャッタラック部材１１１が相対的に第１のディスクカートリッジ１１より後退することで、インナーロータ１４を逆回転し、一対のシャッタ板１５ａ，１５ｂが第１のカートリッジ本体１２の第１の開口部１８を閉塞する。
【００２８】
第２  小型の第２のディスクカートリッジ（図７乃至図１２参照）
次に、本発明が適用された記録再生装置に装着可能な第１のディスクカートリッジ１１より小型の第２のディスクカートリッジ３１について図面を参照して説明する。図７乃至図９に示すように、この第２のディスクカートリッジ３１は、第１のディスクカートリッジ１１に用いられている第１の光ディスク１３より小径の例えば８ｃｍの光ディスクを記録媒体に用いるものであって、記録容量は標準的大きさの第１の光ディスク１３より少ないものの携帯性に優れている。
【００２９】
図７乃至図９に示すように、本発明を適用した第２のディスクカートリッジ３１は、第２のカートリッジ本体３２の内部に、第２の光ディスク３３が収納されるローテーションホイール３４と、シャッタ機構となる一対のシャッタ板３５ａ，３５ｂとを収納してなる。この第２のカートリッジ本体３２は、互いに組み合わされる一組の上シェル３６と下シェル３７とを付き合わせて構成されている。
【００３０】
この第２のディスクカートリッジ３１に用いられる第２の光ディスク３３は、中心部に、記録及び／又は再生装置側のディスク回転駆動機構が係合されるセンタ孔３３ａが形成されている。なお、第２の光ディスク３３は、上述した第１のディスクカートリッジ１１に用いられている第１の光ディスク１３より外径が小さいだけであって、第１の光ディスク１３と同じ記録フォーマットで情報信号が記録される。
【００３１】
第２のカートリッジ本体３２を構成する上シェル３６の内面略中央部には、記録及び／又は再生装置側のディスク回転駆動部を構成するディスクテーブルと共に第２の光ディスク３３を挟持するクランピングプレート３８が取り付けられている。
【００３２】
このような上シェル３６に結合される下シェル３７は、図８、図９及び図１０に示すように、光ピックアップやディスクテーブルが進入できるように開放された第１の開口部３９が形成されている。この第１の開口部３９は、前面側の開放端から第２の光ディスク３３の信号記録面の一部を内外周に亘って外方へ臨ませる光ピックアップ用開口部３９ａと、光ピックアップ用開口部３９ａと連続した第２の光ディスク３３のセンタ孔３３ａを外部に臨ませる回転駆動用開口部３９ｂとから構成されている。
【００３３】
更に、下シェル３７の前面には、両脇に、第２のディスクカートリッジ３１を記録及び／又は再生装置に挿入される際に記録及び／又は再生装置側の挿入ガイド部材となる挿入ガイドピンが係合する挿入ガイド溝４１，４１が形成されている。
【００３４】
更に、下シェル３７の背面側の一方のコーナ部近傍には、図８に示すように、第２のディスクカートリッジ３１を記録及び／又は再生装置に位置決めして装着するための基準穴となるロケーションホール４２ａが形成されている。また、他方のコーナ部近傍には、調整用のアライメントホール４２ｂが形成されている。
【００３５】
この第２のカートリッジ本体３２は、上シェル３６側の幅方向の中央領域であって、前面側から背面側に亘って膨出部が形成され、この膨出部が形成された第３の領域４０ａは、その厚さＴ３が９．１ｍｍとなっている。なお、この第１の領域４０ａの裏側には、図示しないが光ディスク３３をディスクテーブルと共に挟持するためのクランピングプレート３８が配設される。また、この第３の領域４０ａの周辺部分の第４の領域４０ｂの厚さＴ４は、第３の領域４０ａより薄い例えば７．８ｍｍとなっている。すなわち、第１のディスクカートリッジ１１との互換性を図るため、第２のディスクカートリッジ３１の厚い部分である第３の領域４０ａは、その厚さＴ３がＴ１と同じ９．１ｍｍとなっており、また、第２のディスクカートリッジ３１の薄い部分である第４の領域４０ｂは、その厚さＴ４がＴ２と同じ７．８ｍｍとなっている。なお、厚さＴ３と厚さＴ４の関係は、Ｔ３（＝Ｔ１）＞Ｔ４（＝Ｔ２）であれば、その寸法は、特に限定されるものではない。
【００３６】
上シェル３６と下シェル３７とが付き合わされると、第２のカートリッジ本体３２の内部には、ローテーションホイール３４を収納する収納部が構成される。この収納部に収納されるローテーションホイール３４は、図９に示すように、第２の光ディスク３３が収納される。このローテーションホイール３４の主面部には、下シェル３７に設けられた第１の開口部３９と略同じ大きさの第２の開口部４３が形成されている。
【００３７】
この第２の開口部４３は、下シェル３７の第１の開口部３９と一致したとき、収納した第２の光ディスク３３を外部に臨ませる。すなわち、この第２の開口部４３は、第１の開口部３９の光ピックアップ用開口部３９ａに対応した開口部と回転駆動用開口部３９ｂに対応した開口部で構成されている。
【００３８】
ローテーションホイール３４の第２の開口部４３近傍には、図９に示すように、外側に突出して、記録及び／又は再生装置側のシャッタ開閉機構のシャッタラック部材１１１を構成するシャッタ開放アーム１４３が係合する凹状の被操作部４４が形成されている。被操作部４４は、ローテーションホイール３４の回転に伴って、第１の開口部３９が形成された下シェル３７の前面より外部に露出し、第１の開口部３９の幅方向を移動する。
【００３９】
以上のようなローテーションホイール３４は、図９に示すように、コイルバネ等で構成された付勢部材４５によって、シャッタ板３５ａ，３５ｂが第１及び第２の開口部２４，４４を閉塞する方向に回動付勢されている。この付勢部材４５は、一端がローテーションホイール３４の係止片４５ａに係止され、他端が上シェル３６の内面に形成された係止突起４５ｂに係止されている。
【００４０】
以上のように構成されたローテーションホイール３４は、付勢部材４５によりシャッタ板３５ａ，３５ｂが第１及び第２の開口部２４，４４を閉塞する方向に付勢されており、被操作部４４が記録及び／又は再生装置側のシャッタ開放アーム１４３によって、シャッタ板３５ａ，３５ｂが第１及び第２の開口部２４，４４を開放する方向に回転される。なお、付勢部材４５の他端は、上シェル３６の係止突起４５ｂではなく、後述する上シェルに形成された支軸４６に回動支持される大きい方の第１のシャッタ板３５ａの回動支持部４７に係止されても良い。
【００４１】
下シェル３７に形成された第１の開口部３９やローテーションホイール３４に形成された第２の開口部４３を開閉するシャッタ機構を構成する一対のシャッタ板３５ａ，３５ｂは、図９及び図１０に示すように、３５ａが大きく、３５ｂが３５ａに対して小さく形成されている。
【００４２】
図９に示すように、大きい方の第１のシャッタ板３５ａは、第１の回動支持部４７によって、上シェル３６の内面に形成された第１の支軸４６に回動支持される。
【００４３】
更に、第１のシャッタ板３５ａの第２の光ディスク３３側の面には、ローテーションホイール３４の主面部に形成されたガイド溝４８に係合するガイド突起４９が形成されている。ガイド突起４９は、ローテーションホイール３４のガイド溝４８に係合することで、第１のシャッタ板３５ａの回動を規制する。
【００４４】
第２のシャッタ板３５ｂは、第２の回動支持部５１によって第１のシャッタ板３５ａに回動可能に取り付けられる。この第２のシャッタ板３５ｂには、図９及び図１０に示すように、ローテーションホイール３４に形成された第１の制御突起５２が係合される第１のカム溝５３が形成されている。この第１のカム溝５３は、第１の制御突起５２が係合することで、第２のシャッタ板３５ｂの回動を制御する。第１のカム溝５３は、ローテーションホイール３４の外周側の幅狭な幅狭部５３ａと、ローテーションホイール３４の中央よりの幅狭部５３ａより拡幅した拡幅部５３ｂとからなる。幅狭部５３ａは、第２のシャッタ板３５ｂが第１及び第２の開口部３９，４３を開放する際の前半部分で第２のシャッタ板３５ｂを回動させる第１の作用部であり、拡幅部５３ｂは、第１の制御突起５２が移動したとき、すなわち第２のシャッタ板３５ｂが第１及び第２の開口部３９，４３を開放する際の後半部分で何も作用しない第１の非作用部となる。なお、第１の作用部及び第１の非作用部は、直線的な溝の幅で形成する他、第２のカム部のように湾曲した溝で形成するようにしても良い。
【００４５】
また、第２のシャッタ板３５ｂには、ローテーションホイール３４の主面部に形成された第２のカム溝５４に係合する第２の制御突起５５が形成されている。第２のカム溝５４は、ローテーションホイール３４の中央側で第１の方向に湾曲した第１の湾曲部５４ａと、ローテーションホイール３４の外周側で第１の湾曲部５４ａとは反対側の第２の方向に湾曲した第２の湾曲部５４ｂとからなる。第１の湾曲部５４ａは、第２のシャッタ板３５ｂが第１及び第２の開口部３９，４３を開放する際の前半部分で何も作用しない第２の非作用部であり、第２の湾曲部５４ｂは、第２のシャッタ板３５ｂが第１及び第２の開口部３９，４３を開放する際の後半部分で作用する第２の作用部となる。したがって、図９及び図１０に示すように、第１の湾曲部５４ａは、第２のシャッタ板３５ｂが第１及び第２の開口部３９，４３を開放する際の前半部分で何も作用せず、第２の制御突起５５が第２の湾曲部５４ｂに移動すると、すなわち第２のシャッタ板３５ｂの回動の後半部分で、第２の湾曲部５４ｂは、上述の第１のカム溝５３の幅狭部５３ａに代わって、第２のシャッタ板３５ｂを回動する。
【００４６】
上述したような構成を有する第２のディスクカートリッジ３１が記録及び／又は再生装置に装着される前には、図１０に示すような状態にある。すなわち、一対のシャッタ板３５ａ，３５ｂが第１及び第２の開口部３９，４３を閉塞しているとき、ローテーションホイール３４は、付勢部材４５の付勢力により図１０中矢印Ｃ方向に回動付勢された状態にあり、被操作部４４は、第１の開口部３９の一側縁に位置している。そして、一対のシャッタ板３５ａ，３５ｂは、互いに噛み合うことによって第１及び第２の開口部３９，４３を閉塞している。
【００４７】
このとき、第１のシャッタ板３５ａのガイド突起４９は、ローテーションホイール３４のガイド溝４８のローテーションホイール３４の中央よりの一端に位置している。また、第２のシャッタ板３５ｂの第１のカム溝５３には、第１の制御突起５２が第１の作用部である幅狭部５３ａに係合している。更に、第２のシャッタ板３５ｂの第２の制御突起５５は、第２の非作用部であるローテーションホイール３４の第２のカム溝５４の第１の湾曲部５４ａに係合している。かくして、第２のディスクカートリッジ３１は、図２に示すように、下シェル３７の第１の開口部３９を閉塞した状態となっている。
【００４８】
そして、第２のディスクカートリッジ３１は、記録再生装置に対して略円弧状に形成された前面を挿入端として挿入される。すると、ローテーションホイール３４は、被操作部４４に記録及び／又は再生装置側のシャッタ開放アーム１４３が係合され、このシャッタ開放アーム１４３によって、付勢部材４５の付勢力に抗して図１０中反矢印Ｃ方向に回動される。すると、ローテーションホイール３４のガイド溝４８にガイド突起４９が係合された第１のシャッタ板３５ａは、上シェル３６の第１の支軸４６を中心にして、図１０中矢印Ｄ方向に回動する。第１のシャッタ板３５ａの回動に伴って、第２のシャッタ板３５ｂは、第１のシャッタ板３５ａに対して図１０中矢印Ｅ方向に回動する。第２のシャッタ板３５ｂの回動開始時は、ローテーションホイール３４の第１の制御突起５２が係合した第１の作用部となっている第１のカム溝５３の幅狭部５３ａによって回動される。なお、第２のシャッタ板３５ｂの回動開始時において、第２のシャッタ板３５ｂの第２の制御突起５５が係合したローテーションホイール３４の第２のカム溝５４の第１の湾曲部５４ａは、第２の非作用部となっており、何も作用しない。
【００４９】
更に、ローテーションホイール３４が図１０中反矢印Ｃ方向に回動すると、図１１に示すように、ローテーションホイール３４のガイド溝４８に係合したガイド突起４９は、ガイド溝４８のローテーションホイール３４の外周側の他端に移動する。第１のシャッタ板３５ａの回動に伴って、第２のシャッタ板３５ｂは、第１のシャッタ板３５ａに対して図１１中矢印Ｄ方向に回動する。すると、ローテーションホイール３４の第１の制御突起５２は、第１の作用部となっている第１のカム溝５３の幅狭部５３ａから第１の非作用部となっている第１のカム溝５３の拡幅部５３ｂに移動し、第２のシャッタ板３５ｂに対しても作用しなくなる。これに代わって、第２のシャッタ板３５ｂの第２の制御突起５５は、第２の非作用部となっている第１の湾曲部５４ａから第２の作用部となっている第２の湾曲部５４ｂに移動し、第２のシャッタ板３５ｂを図１１中矢印Ｅ方向に回動する。これにより、図１２に示すように、被操作部４４は、第１の開口部３９の端部に位置し、第１及び第２の開口部３９，４３は、開放され、ローテーションホイール３４内に収納されている第２の光ディスク３３を内外周に亘って外部に臨ませることができる。
【００５０】
第１及び第２の開口部２２，４４が開放されると、ローテーションホイール３４内に回転可能に収納されている第２の光ディスク３３は、記録再生装置側のディスク回転駆動機構のディスクテーブルにセンタ孔３３ａが係合すると共に、上シェル３６に設けられたクランピングプレート３８とディスクテーブルによって挟持され、ディスクテーブルによって回転可能な状態になる。
【００５１】
第２の光ディスク３３に情報信号を記録し、また、第２の光ディスク３３に記録された情報信号を再生するときには、第２の光ディスク３３がディスクテーブルによって回転される。これと共に、第１及び第２の開口部３９，４３内に進入した光ピックアップは、第２の光ディスク３３の信号記録領域に半導体レーザより出射された光ビームを対物レンズで集光し、第２の光ディスク３３の信号記録面に照射し、この信号記録面で反射された戻りの光ビームを検出することによって、第２の光ディスク３３に情報信号を記録し、又は、第２の光ディスク３３に記録された情報信号の読み出しを行う。
【００５２】
なお、第２のディスクカートリッジ３１が記録及び／又は再生装置より排出されると、ローテーションホイール３４は、付勢部材４５の付勢力により図１１中矢印Ｃ方向に回動し、図１１の状態から図１０の状態に戻る。
【００５３】
第３  記録再生装置
１．  本発明が適用された記録再生装置の適用例
以上のような本発明が適用された記録再生装置に用いられる第１及び第２のディスクカートリッジ１１，３１は、共に放送業務用光ディスクシステムに用いられる記録媒体であり、本発明が適用された記録再生装置は、例えば、図１３に示すように、放送業務用のビデオカメラ装置６０に着脱又は内蔵される。
【００５４】
記録再生装置６１は、ビデオカメラ装置６０に挿入されるとき、効率よく部品配置を行うため、横置きではなく縦置きに配設され、更に、重力を利用して確実に記録再生装置６１に挿入できるようにするため、ビデオカメラ装置６０の上面から、すなわち図１３中矢印Ｆ方向から第１及び第２のディスクカートリッジ１１，３１が挿入できるようになっている。そして、記録再生装置６１が配設されたビデオカメラ装置６０は、ユーザが肩に担ぎながら又は床、地面等に置きながら第１及び第２のディスクカートリッジ１１，３１の挿脱を行うことができるようになっている。
【００５５】
本発明が適用された記録再生装置６１では、据え置き型の記録再生装置にも用いることができるが、ビデオカメラ装置６０に縦置きで配設される場合等を考慮して、第１及び第２のディスクカートリッジ１１，３１をローラを用いて搬送できるようになっている。すなわち、記録再生装置６１では、搬送機構にローラを用いることによって、縦置き時のイジェクトも確実に行うことができるようになっている。
【００５６】
なお、ここでは、ビデオカメラ装置６０に本発明を適用した記録再生装置６１を内蔵した例を説明したが、本発明は、限定されるものではなく、例えば、横置きで内蔵される据え置き型記録再生装置や携帯型記録再生装置に用いることもできる。
【００５７】
２．  全体構成（図１４及び図１５）
本発明が適用された記録再生装置６１は、図１４に示すように、第１及び第２のディスクカートリッジ１１，３１をローディングするためのローディング機構が設けられるメインフレーム６２と、このメインフレーム６２に固定され、第１及び第２のディスクカートリッジ１１，３１の記録再生部が設けられるドライブユニット６３とを備えている。この記録再生装置６１では、第１及び第２のディスクカートリッジ１１，３１が挿入されると、第１及び第２のディスクカートリッジ１１，３１がメインフレーム６２のローディング機構によってドライブユニット６３に近接する方向に降下されて記録再生が可能な状態になる。
【００５８】
ところで、この記録再生装置６１では、メインフレーム６２に対して、２種類のドライブユニットを取り付けることができる。すなわち、第１のドライブユニット６３は、後述するように、中央部に標準的大きさの第１のディスクカートリッジ１１の第１の光ディスク１３と小型の第２のディスクカートリッジ３１の第２の光ディスク３３を回転できるように、略中央部に、ディスクテーブルが配置されており、第１のディスクカートリッジ１１の第１の光ピックアップ用開口部１８ａに対応し、且つ、第２のディスクカートリッジ３１の光ピックアップ用開口部３９ａに対応する位置に第１の光ピックアップが配置されている。
【００５９】
これに対して、第２のドライブユニット６４は、図示しないが、第１の光ピックアップに加え、ディスクテーブルを挟んで第１の光ピックアップの反対側に第２の光ピックアップが配置されており、図１５に示すように、第１のドライブユニット６３より大型のものなっている。上述した標準的大きさの第２のディスクカートリッジ３１は、図３で示したように、下シェル３７が２分割され、２つの光ピックアップで同時に記録再生を行うことができるように光ピックアップ用開口部１８ａ，１８ｂが形成されており、この第２のドライブユニット６４の第２の光ピックアップは、標準的大きさの第１のディスクカートリッジ１１の光ピックアップ用開口部１８ｂに対応して配置される。
【００６０】
この第２のドライブユニット６４は、第２の光ピックアップが配置されることで、メインフレーム６２に対して第１及び第２のディスクカートリッジ１１，３１の挿入側に長くなる。そこで、第２のドライブユニット６４には、第２のドライブユニット６４の大きさに対応させるための、メインフレーム６２を延長するようにアダプタ６５が取り付けられるようになっている。このアダプタ６５は、第２のドライブユニット６４に取り付けるための取付片６６が設けられており、また、後述するカートリッジホルダ６８の第１及び第２のディスクカートリッジの挿入口６９に連続するように、第１及び第２のディスクカートリッジ１１，３１の挿入ガイド口６７が形成されている。
【００６１】
すなわち、この記録再生装置６１では、メインフレーム６２に対して第１及び第２のドライブユニット６３，６４がねじ等の固定部材によって固定され、メインフレーム６２内に設けられるローディング機構によって第１及び第２のドライブユニット６３，６４に第１及び第２のディスクカートリッジ１１，３１が装着されることになる。なお、以下の説明では、第１のドライブユニット６３を用いた例を説明する。
【００６２】
そこで、先ず、第１及び第２のディスクカートリッジ１１，３１の記録再生部が設けられるドライブユニット６３について説明する。
【００６３】
３．ドライブユニットの説明（図１６）
カートリッジホルダ６８に保持された第１及び第２のディスクカートリッジ１１，３１が装着される第１のドライブユニット６３は、図１６に示すように、ベース７１を有し、このベース７１に第１及び第２の光ディスク１３，３３の記録再生を行う記録再生部７２が設けられている。この記録再生部７２は、第１及び第２の光ディスク１３，３３を回転するディスク回転駆動部７３と、ディスク回転駆動部７３によって回転される第１及び第２の光ディスク１３，３３に光ビームを照射して反射された戻り光を検出することによって第１及び第２の光ディスク１３，３３にデータを記録し、又は、第１及び第２の光ディスク１３，３３に記録されているデータを読み出す光ピックアップ７４とを備えている。
【００６４】
ディスク回転駆動部７３は、スピンドルモータ７３ａによって回転されるディスクテーブル７３ｂを有している。このディスクテーブル７３ｂには、第１及び第２の光ディスク１３，３３のセンタ孔１３ｂ，３３ａに係合して第１及び第２の光ディスク１３，３３をセンタリングし、更に、第１のディスクカートリッジ１１のクランピングプレート２０又は第２のディスクカートリッジ３１のクランピングプレート３８とで第１及び第２の光ディスク１３，３３を挟持する。そして、ディスクテーブル７３ｂは、第１及び第２の光ディスク１３，３３を一体的に線速度一定、角速度一定又はこれらの組み合わせで回転する。
【００６５】
光ピックアップ７４は、波長が４００ｎｍ程度の光ビームを出射する半導体レーザ、この光ビームを集光する対物レンズ７４ａ、第１及び第２の光ディスク１３，３３で反射された戻りの光ビームを検出する光検出器等を備えている。光ピックアップ７４は、第１及び第２の光ディスク１３，３３で反射された戻りの光ビームを検出することによって、対物レンズ７４ａを光軸方向及び記録トラックに直交する方向に変位し、フォーカシングサーボ、トラッキングサーボ等の制御を行う。また、光ピックアップ７４は、第１及び第２の光ディスク１３，３３に光ビームを照射することによって、データを記録し、又は、第１及び第２の光ディスク１３，３３で反射された戻りの光ビームを検出することによって、第１及び第２の光ディスク１３，３３に記録されているデータの読み出しを行う。このように構成される光ピックアップ７４は、ベース７１のディスク回転駆動部７３に近接して設けられた開口部７４ｂより外部に臨まされ、第１及び第２の光ディスク１３，３３と対向するようになっている。
【００６６】
開口部７４ｂに配設された光ピックアップ７４は、スレッド機構７５によって、開口部７４ｂ内において、第１及び第２の光ディスク１３，３３の径方向に送り操作される。このスレッド機構７５は、一又は複数のガイド軸７５ａを有し、光ピックアップ７４は、このガイド軸７５ａ第１及び第２の光ディスク１３，３３の径方向に直線移動可能に取り付けられている。そして、スレッド機構７５は、モータやギヤ列によって構成された駆動部やリニアモータによって構成された駆動部によって、ガイド軸７５ａに沿って移動される。具体的に、光ピックアップ７４は、第１のディスクカートリッジ１１の記録再生を行うとき、第１のカートリッジ本体１２に形成された第１の開口部１８の内、記録再生装置への挿入端側の開口部１８ａから臨まされた第１の光ディスク１３と対向し、開口部１８ａの範囲内で第１の光ディスク１３の径方向に移動される。また、光ピックアップ７４は、第２のディスクカートリッジ３１の記録再生を行うとき、第２のカートリッジ本体３２に形成された第１の開口部３９の内、記録再生装置への挿入端側の光ピックアップ用開口部３９ａから臨まされた第２の光ディスク３３と対向し、開口部３９ａの範囲内で第２の光ディスク３３の径方向に移動される。
【００６７】
このベース７１には、更に、ベース７１の記録再生部７２に装着されるとき、第１のディスクカートリッジ１１の底面に形成された位置決め孔２２ａ，２２ｂに係合する位置決めピン７６ａ，７６ｂが形成されている。また、ベース７１には、図示しないが、ベース７１の記録再生部７２に装着されるとき、第２のディスクカートリッジ３１の底面に形成されたロケーションホール４２ａやアライメントホール４２ｂに係合する位置決めピン又は挿入ガイド溝４１，４１に係合する挿入ガイドピンによってベース７１と平行な面方向（Ｘ方向、Ｙ方向）の位置決めがされる。また、ベース７１には、ベース７１の記録再生部７２に装着されるとき、第１のディスクカートリッジ１１の高さ方向の基準となる第１の装着基準部７８が形成されると共に、第２のディスクカートリッジ３１の高さ方向の基準となる第２の装着基準部７９が形成されている。第１の装着基準部７８は、第１のディスクカートリッジ１１を保持したカートリッジホルダ６８がベース７１側に降下したとき、カートリッジホルダ６８のカートリッジ支持片６８ｃに支持されている第１のディスクカートリッジ１１を僅かに持ち上げ、更に圧着されることによって、第１のディスクカートリッジ１１の正確な位置決めを行う。また、第２の装着基準部７９は、第２のディスクカートリッジ３１を保持したカートリッジホルダ６８がベース７１側に降下したとき、カートリッジホルダ６８のカートリッジ支持片６８ｃに支持されている第２のディスクカートリッジ３１を僅かに持ち上げ、更に圧着されることによって、第２のディスクカートリッジ３１の正確な位置決めを行う。
【００６８】
なお、第２のドライブユニット６４は、図示しないが、光ピックアップ７４に加え、ディスクテーブル７３ｂを挟んで光ピックアップ７４の反対側に更なる光ピックアップが配置されることになる。
【００６９】
４．  ローディング機構の全体構成（図１７）
図１７は、本発明が適用された記録再生装置よりメインフレームを取り除いた状態を示す斜視図である。図１７に示すように、メインフレームの内側には、第１及び第２のディスクカートリッジ１１，３１を第１のドライブユニット６３にローディングするためのローディング機構８１が配設されている。このローディング機構８１は、メインフレーム６２に設けられ、第１及び第２のディスクカートリッジ１１，３１を搬送するカートリッジ搬送機構８２を有する。
【００７０】
また、メインフレーム６２の内側には、ローディング機構８１を構成する第１のディスクカートリッジ１１のシャッタ板１５ａ，１５ｂを開閉する第１のシャッタ開閉機構８３と、第２のディスクカートリッジ３１のシャッタ板３５ａ，３５ｂを開閉する第２のシャッタ開閉機構８４と、これら第１及び第２のシャッタ開閉機構８３，８４の共通の駆動機構８５と、ローディングする第１及び第２のディスクカートリッジ１１，３１を押圧する押圧機構８６と、標準的大きさの第１のディスクカートリッジ１１が挿入されたことを検出する位置検出機構８７とを備えている。
【００７１】
具体的に、図１４及び図１７に示すように、メインフレーム６２の内側には、第１及び第２のディスクカートリッジ１１，３１が挿入されるカートリッジホルダ６８がメインフレーム６２に固定されているドライブユニット６３に対して近接離間するように配設される。このカートリッジホルダ６８は、図１７に示すように、天板部６８ａと、この天板部６８ａの両側に形成された側壁部６８ｂ，６８ｂと、第１及び第２のディスクカートリッジ１１，３１を支持するカートリッジ支持片６８ｃ，６８ｃとを有し、両側に、断面略Ｃ字状のカートリッジ保持部を構成している。一対の側壁部６８ｂ，６８ｂは、第１のディスクカートリッジ１１の幅に対応させて形成されており、一対のカートリッジ支持片６８ｃ，６８ｃは、第１のディスクカートリッジ１１に加え第２のディスクカートリッジ３１の記録再生装置の挿入方向と同方向の両側縁部を下側から支持できるように形成されている。そして、一対のカートリッジ支持片６８ｃ，６８ｃの間がドライブユニット６３に装着された際、ディスクテーブルや光ピックアップが位置する領域となっている。また、詳細は省略するが、一対のカートリッジ支持片６８ｃ，６８ｃのそれぞれには、第２のディスクカートリッジ３１の挿入をガイドするガイド部が設けられている。各ガイド部は、弾性片の先端部に、カートリッジホルダ６８内に突出するガイド突部が設けられている。ガイド突部は、第２のディスクカートリッジ３１の幅と略同じ間隔を隔てて設けられており、第２のディスクカートリッジ３１がカートリッジホルダ６８に挿入されたときには、第２のディスクカートリッジ３１の挿入をガイドする。また、ガイド突部は、第１のディスクカートリッジ１１が挿入されたとき、第１のディスクカートリッジ１１の底面に押圧され、弾性片が外側に変位することによってカートリッジホルダ６８内から待避するようになっている。
【００７２】
そして、以上のようなカートリッジホルダ６８には、一方の側壁部６８ｂに、第１のディスクカートリッジ１１の一対のシャッタ板１５ａ，１５ｂの開閉を行う第１のシャッタ開閉機構８３が設けられ、天板部６８ａに、第２のシャッタ開閉機構８４、駆動機構８５、押圧機構８６、位置検出機構８７が設けられている。
【００７３】
以上のようなローディング機構８１では、第１及び第２のディスクカートリッジ１１，３１をメインフレーム６２内でその機構が完結するように配設し、ドライブユニット６３，６４にローディングのための機構を設けないようにすることで、第１のドライブユニット６３と第２のドライブユニット６４を、例えばねじ固定といった簡単な方法でメインフレーム６２に選択的に取り付けることができるようになっている。すなわち、このローディング機構８１では、第１のドライブユニット６３、第２のドライブユニット６４の何れにも容易に取り付けることができるようになっている。また、このローディング機構８１は、第１のディスクカートリッジ１１と第２のディスクカートリッジ３１とのカートリッジホルダを１つにしていることから、構成の簡素化が図られている。
【００７４】
以下、ローディング機構８１を構成するカートリッジ搬送機構８２、第１のシャッタ開閉機構８３、第２のシャッタ開閉機構８４、駆動機構８５、押圧機構８６、位置検出機構８７を順に説明する。
【００７５】
５．  カートリッジ搬送機構（図１７乃至図２４）
第１及び第２のディスクカートリッジ１１，３１をカートリッジホルダ６８内に搬送するカートリッジ搬送機構８２は、図１７、図１８及び図１９に示すように、メインフレーム６２の天板部６２ａに、第１及び第２のディスクカートリッジ１１，３１の搬送方向と直交する方向に掛け渡されるローラ軸９１と、このローラ軸９１に設けられる一対の第１のローラ９２，９２と、ローラ軸９１の第１のローラ９２，９２の内側に設けられる一対の第２のローラ９３，９３と、ローラ軸９１を支持する一対の支持アーム９４，９４と、ローラ軸９１の第１のローラ９２，９３を搬送する第１及び第２のディスクカートリッジ１１，３１に押圧する一対の押圧付勢部材９５，９５とを備えている。
【００７６】
ローラ軸９１に取り付けられる一対の第１のローラ９２，９２は、直径が１０ｍｍ程度のゴムローラ等で形成されている。一対の第１のローラ９２，９２は、標準的大きさの第１のディスクカートリッジ１１を搬送するためのものであって、第１のディスクカートリッジ１１の搬送方向の両側縁部であって、第１の領域２９ａ（厚さＴ１＝９．１ｍｍ）の周辺部分の第２の領域２９ｂ（厚さＴ２＝７．８ｍｍ）の領域に圧接される。第１のローラ９２，９２は、第１のカートリッジ本体１２の周壁近傍の比較的強度の高い第２の領域２９ｂを圧接するようにし、第１のカートリッジ本体１２が内側に撓まないようにしている。
【００７７】
ローラ軸９１に取り付けられる一対の第２のローラ９３，９３は、第１のローラ９２，９２より小径であって、直径が７ｍｍ程度のゴムローラ等で形成されている。一対の第２のローラ９３，９３は、小型の第２のディスクカートリッジ３１を搬送するためのものであって、第２のディスクカートリッジ３１の搬送方向の両側縁部であって、第３の領域４０ａ（厚さＴ３＝９．１ｍｍ）の周辺部分の第４の領域４０ｂ（厚さＴ４＝７．８ｍｍ）の領域に圧接される。一対の第２のローラ９３，９３は、第２のディスクカートリッジ３１を搬送対象とすることから、ローラ軸９１の一対の第１のローラ９２，９２の内側に設けられる。第２のローラ９３，９３は、第２のカートリッジ本体３２の周壁近傍の比較的強度の高い第４の領域４０ｂを圧接するようにし、第２のカートリッジ本体３２が内側に撓まないようにしている。
【００７８】
なお、第１のローラ９２，９２と第２のローラ９３，９３の直径の差は、ゴムローラの圧縮分を考慮するため完全には一致しないが、第１及び第２のディスクカートリッジ１１，３１の厚い部分のＴ１，Ｔ３と薄い部分のＴ２，Ｔ４の差を考慮したものとなっている。
【００７９】
図１８に示すように、第１及び第２のローラ９２，９３が設けられたローラ軸９１は、メインフレーム６２の天板部６２ａに設けられた一対の固定片９６，９６に回動可能に取り付けられた一対の支持アーム９４，９４に回転自在に取り付けられる。一対の支持アーム９４，９４は、基端部が一対の固定片９６，９６に回動支点部９４ａ，９４ａが回動可能に取り付けられ、先端部に、ローラ軸９１の各端部が回転自在に取り付けられる。ローラ軸９１の両端部を支持する一対の支持アーム９４，９４は、回動支点部９４ａ，９４ａを中心に図１８中矢印Ｇ方向及び反矢印Ｇ方向に回動することによって、第１及び第２のローラ９２，９３を第１及び第２のディスクカートリッジ１１，３１に対して近接離間させる。なお、図示しないが、固定片９６，９６は、ローラ軸９１が貫通され、ローラ軸９１の回動軌跡に沿った略円弧のガイド孔が形成されている。
【００８０】
更に、メインフレーム６２の天板部６２ａには、ローラ軸９１を押圧付勢する一対の押圧付勢部材９５，９５が設けられる。一対の押圧付勢部材９５，９５は、メインフレーム６２の天板部６２ａの一対の切り起こし片９５ａ，９５ａの間に掛け渡された支軸９５ｂ，９５ｂに基端部が回動可能に取り付けられ、先端部でローラ軸９１を図１８及び図１９中矢印Ｇ方向に押圧するように設けられる。押圧付勢部材９５，９５は、支軸９５ｂに巻装され、一端部が天板部６２ａに係止され他端部が押圧付勢部材９５，９５に係止された付勢部材である捻りコイルバネ９５ｃによってローラ軸９１の押圧方向、すなわち図１８及び図１９中矢印Ｇ方向に付勢されている。
【００８１】
ところで、図１７及び図２０に示すように、ローラ軸９１を回転駆動する駆動部９７は、メインフレーム６２の一方の側板に取り付けられた駆動モータ９７ａを駆動源として、複数のギヤ列９７ｂ、プーリ９７ｃ、無端ベルト９７ｄを介して、一方の支持アーム９４との回動支点部９４ａと同軸のプーリ９７ｅに駆動力が伝達される。プーリ９７ｅの回転軸には、主動ギヤ９７ｆが取り付けられ、更に、一方の支持アーム９４に取り付けられた中間ギヤ９７ｇを介して、ローラ軸９１に取り付けられた従動ギヤ９７ｈに駆動モータ９７ａの駆動力が伝達されるようになっている。
【００８２】
次に、標準的大きさの第１のディスクカートリッジ１１を搬送する場合について説明する。図２１（Ａ）及び図２１（Ｂ）に示すように、第１のディスクカートリッジ１１が挿入されると、第１のローラ９２，９２が第１のディスクカートリッジ１１の搬送方向の上シェル１６側の両側縁部であって、第１の領域２９ａ（厚さＴ１＝９．１ｍｍ）の周辺部分の第２の領域２９ｂ（厚さＴ２＝７．８ｍｍ）の領域に接触する。この際、第１のローラ９２，９２は、ローラ軸９１が押圧付勢部材９５，９５によって押圧されていることによって、図２２に示すように、上シェル１６側の両側縁部に圧接される。なお、第１のディスクカートリッジ１１の搬送時、第１のディスクカートリッジ１１の下シェル１７側の面は、カートリッジホルダ６８のカートリッジ支持片６８ｃ，６８ｃに支持される。そして、第１のディスクカートリッジ１１は、駆動部９７によってローラ軸９１と一体的に第１のローラ９２，９２が一方向に回転すると、カートリッジホルダ６８の内側に向かって移動を開始する。また、第２のディスクカートリッジ３１用の第２のローラ９３，９３は、第１のディスクカートリッジ１１の厚い第１の領域２９ａ（Ｔ１＝９．１ｍｍ）に対向しているが、第１のローラ９２，９２より小径に形成されているため、第１のディスクカートリッジ１１に対して非接触であり、第１のディスクカートリッジ１１の搬送を阻害することはない。そして、位置検出機構８７の検出スイッチ１３４が第１のディスクカートリッジ１１を検出したとき、回転は停止する。
【００８３】
また、図２２に示すように、第１のディスクカートリッジ１１を排出する（矢印Ｅｊ方向）とき、第１のローラ９２，９２は、回動可能な支持アーム９４，９４によって、第１のディスクカートリッジ１１に対して矢印Ｇ方向の食い込み力が発生する図２２中矢印Ｈ方向に回転する。図１３に示すように、本発明が適用された記録再生装置６１は、ビデオカメラ装置６０の上面から第１及び第２のディスクカートリッジ１１，３１が挿入できるように配設されることから、第１のディスクカートリッジ１１を図２２中矢印Ｅｊ方向に排出するとき、重力に抗する方向に移動させることになるが、このような場合であっても、第１のローラ９２，９２は、回動可能な支持アーム９４，９４によって、第１のディスクカートリッジ１１に対して矢印Ｇ方向の食い込み力が発生する矢印Ｈ方向に回転することから、確実に第１のディスクカートリッジ１１を排出することができる。
【００８４】
次に、小型の第２のディスクカートリッジ３１を搬送する場合について説明する。図２３（Ａ）及び図２３（Ｂ）に示すように、第２のディスクカートリッジ３１が挿入されると、第２のローラ９３，９３が第２のディスクカートリッジ３１の搬送方向の上シェル３６側の両側縁部であって、第３の領域４０ａ（厚さＴ３＝９．１ｍｍ）の周辺部分の第４の領域４０ｂ（厚さＴ４＝７．８ｍｍ）の領域に接触する。この際、第２のローラ９３，９３は、ローラ軸９１が押圧付勢部材９５，９５によって押圧されていることによって、図２４に示すように、上シェル３６側の両側縁部に圧接される。なお、第２のディスクカートリッジ３１の搬送時、第２のディスクカートリッジ３１の下シェル３７側の面は、カートリッジホルダ６８のカートリッジ支持片６８ｃ，６８ｃに支持される。そして、第２のディスクカートリッジ３１は、駆動部９７によってローラ軸９１と一体的に第２のローラ９３，９３が一方向に回転すると、カートリッジホルダ６８の内側に向かって移動を開始する。また、第１のディスクカートリッジ１１用の第１のローラ９２，９２は、第２のディスクカートリッジ３１の外側に位置する、第２のディスクカートリッジ３１に対して非接触であり、第２のディスクカートリッジ３１の搬送を阻害することはない。そして、所定位置まで第２のディスクカートリッジ３１が搬送されたことを、図示しない検出スイッチが検出すると、回転は停止する。
【００８５】
また、図２４に示すように、第２のディスクカートリッジ３１を排出する（矢印Ｅｊ方向）とき、第２のローラ９３，９３は、回動可能な支持アーム９４，９４によって、第２のディスクカートリッジ３１に対して矢印Ｇ方向の食い込み力が発生する図２４中矢印Ｈ方向に回転する。図１３に示すように、本発明が適用された記録再生装置６１は、ビデオカメラ装置６０の上面から第１及び第２のディスクカートリッジ１１，３１が挿入できるように配設されることから、第２のディスクカートリッジ３１を図２４中矢印Ｅｊ方向に排出するとき、重力に抗する方向に移動させることになるが、このような場合であっても、第２のローラ９３，９３は、回動可能な支持アーム９４，９４によって、第２のディスクカートリッジ３１に対して矢印Ｇ方向の食い込み力が発生する矢印Ｈ方向に回転することから、確実に第２のディスクカートリッジ３１を排出することができる。
【００８６】
６．  カートリッジ挿入ガイド機構（図１７、図２５乃至図２８）
大きさの異なる第１のディスクカートリッジ１１や第２のディスクカートリッジ３１は、カートリッジホルダ６８の側壁部６８ｂ，６８ｂの間の挿入口６９から挿入される。ここで、標準的大きさの第１のディスクカートリッジ１１は、その幅がカートリッジホルダ６８の挿入口６９と略一致していることから容易に挿入することができるが、小型の第２のディスクカートリッジ３１は、カートリッジホルダ６８の挿入口６９より小さい。そこで、このカートリッジホルダ６８の天板部６８ａの挿入口６９の近傍には、第１及び第２のディスクカートリッジ１１，３１の挿入ガイド機構１０１が設けられている。
【００８７】
ここで、図２５及び図２６は、挿入ガイド機構１０１を、第１及び第２のディスクカートリッジ１１，３１と向かい合う側から見た斜視図である。図２５及び図２６に示すように、カートリッジ挿入ガイド機構１０１は、カートリッジホルダ６８の天板部６８ａの挿入口６９の近傍に固定されるベース１０２に、第２のディスクカートリッジ３１の挿入をガイドする直線状の挿入ガイド部材１０３が設けられている。この挿入ガイド部材１０３の両側には、第２のディスクカートリッジ３１の幅に対応させて挿入規制片１０４，１０４が形成されている。挿入規制片１０４，１０４は、第１及び第２のディスクカートリッジ１１，３１の挿入端と対向する面が略垂直面な挿入規制面１０４ａ，１０４ａとなっている。
【００８８】
この直線状の挿入ガイド部材１０３の両端部、すなわち挿入規制片１０４，１０４の外側には、第１のディスクカートリッジ１１を押圧する回動押圧部材１０５，１０５が回動可能に設けられている。すなわち、回動押圧部材１０５，１０５は、挿入ガイド部材１０３に対して同じ軸線に設けられ、挿入ガイド部材１０３に対して回動自在に設けられている。回動押圧部材１０５，１０５は、第１のディスクカートリッジ１１を上シェル１６側から押圧する部材であり、第１のディスクカートリッジ１１を向かい入れる側の面が傾斜面で形成され挿入ガイド面１０５ａ，１０５ａとなっている。
【００８９】
そして、挿入ガイド部材１０３の両端に回動支持部材１０５，１０５が回動自在に取り付けられた部材は、ベース１０２に形成された支持片１０６に回動可能に取り付けられることになる。ここで、挿入ガイド部材１０３は、コイルバネで形成され、一端がベース１０２の係止片１０７ａに係止され他端が挿入ガイド部材１０３の係止片１０７ｂに係止された第１の付勢部材１０７によって図２５及び図２７中矢印Ｉ方向に回動付勢されている。また、この挿入ガイド部材１０３に対して回動自在な回動支持部材１０５，１０５は、捻りコイルバネ等で形成された第２の付勢部材１０８，１０８によって図２５及び図２７中矢印Ｊ方向に回動付勢されている。具体的に、第２の付勢部材１０８，１０８は、一端がベース１０２に係止され、他端が回動支持部材１０５，１０５に係止されることによって、回動支持部材１０５，１０５を図２５及び図２７中矢印Ｊ方向に回動付勢している。すなわち、回動押圧部材１０５，１０５は、第２の付勢部材１０８，１０８によって第１のディスクカートリッジ１１を搬送時、カートリッジホルダ６８のカートリッジ支持片６８ｃに押圧する図２５及び図２７中矢印Ｊ方向に回動付勢され、挿入ガイド部材１０３は、回動押圧部材１０５，１０５と逆向きのＩ方向に回動付勢されている。
【００９０】
ここで、第２の付勢部材１０８，１０８は、第１の付勢部材１０７より付勢力が大きくなるように形成されている。また、矢印Ｊ方向に回動付勢されている回動押圧部材１０５，１０５は、これに形成された押圧片１０５ｂ，１０５ｂが挿入ガイド部材１０３に形成された受け板１０３ａに係合することによって、矢印Ｊ方向に回動が規制される。また、挿入ガイド部材１０３は、ベース１０２の縁部に係止される回動規制片１０３ｂ，１０３ｂが形成されている。したがって、第１及び第２のディスクカートリッジ１１，３１の挿入を待機しているときには、付勢力の大きい第２の付勢部材１０８の付勢力によって、回動押圧部材１０５，１０５の押圧片１０５ｂが挿入ガイド部材１０３の受け板１０３ａ，１０３ａを押圧することで、挿入ガイド部材１０３は、第１の付勢部材１０７の付勢力に抗して矢印Ｊ方向、すなわち反矢印Ｉ方向に回動され、回動規制片１０３ｂ，１０３ｂがベース１０２の縁部に係止された状態となる。
【００９１】
図２７に示すように、第１のディスクカートリッジ１１がカートリッジホルダ６８の挿入口６９より挿入されたときには、矢印Ｊ方向に回動付勢されている回動押圧部材１０５，１０５は、第１のディスクカートリッジ１１に押圧されることにより、第２の付勢部材１０８の付勢力に抗して反矢印Ｊ方向に回動される。すると、回動押圧部材１０５，１０５の押圧片１０５ｂが挿入ガイド部材１０３の受け板１０３ａ，１０３ａから離間することなり、これに伴って、挿入ガイド部材１０３は、第１の付勢部材１０７の付勢力によって矢印Ｉ方向に回動する。これによって、挿入ガイド部材１０３の挿入規制片１０４，１０４は、カートリッジホルダ６８内から待避し、第１のディスクカートリッジ１１が挿入可能な状態となる。
【００９２】
第２のディスクカートリッジ３１が挿入されるとき、図２８に示すように、挿入ガイド機構１０１は、第１及び第２のディスクカートリッジ１１，３１の挿入を待機しているとき同じ状態である。すなわち、付勢力の大きい第２の付勢部材１０８の付勢力によって、回動押圧部材１０５，１０５の押圧片１０５ｂが挿入ガイド部材１０３の受け板１０３ａ，１０３ａを押圧することで、挿入ガイド部材１０３は、第１の付勢部材１０７の付勢力に抗して矢印Ｊ方向、すなわち反矢印Ｉ方向に回動され、回動規制片１０３ｂ，１０３ｂがベース１０２の縁部に係止された状態になっている。そして、第２のディスクカートリッジ３１は、挿入ガイド部材１０３の挿入規制片１０４，１０４間に挿入されることになる。
【００９３】
ここで、仮に、図２９に示すように、小型の第２のディスクカートリッジ３１がカートリッジホルダ６８の挿入口６９の一方に偏った位置から挿入されたときには、挿入規制片１０４，１０４の略垂直面な挿入規制面１０４ａ，１０４ａの何れかに突き当たることになり、挿入が禁止されることになる。
【００９４】
７．  第１のシャッタ開閉機構（図１７、図３０乃至図３７）
図１７に示すように、第１のディスクカートリッジ１１の一対のシャッタ板１５ａ，１５ｂの開閉を行う第１のシャッタ開閉機構８３は、カートリッジホルダ６８の一方の側壁部６８ｂに設けられている。この第１のシャッタ開閉機構８３は、図３０及び図３１に示すように、第１のディスクカートリッジ１１のインナーロータ１４を回転するシャッタラック部材１１１と、このシャッタラック部材１１１が取り付けられるシャッタラックベース１１２とを備えている。
【００９５】
図３２及び図３３に示すように、シャッタラック部材１１１は、棒状の部材であり、インナーロータのギヤ部２４に噛合するラック部１１１ａと、このラック部１１１ａの一方の側に形成され、インナーロータ１４の第１の係合凹部２５と係合する第１の係合突起１１１ｂと、このラック部１１１ａの他方の側に形成され、インナーロータ１４の第２の係合凹部２６と係合する第２の係合突起１１１ｃとが形成されている。上記図５に示したように、第１の係合突起１１１ｂは、第１のディスクカートリッジ１１がカートリッジホルダ６８に挿入されたとき、最初にシャッタラック部材１１１の第１の係合凹部２５に係合される。第２の係合突起１１１ｃは、上記図６に示したように、シャッタ板１５ａ，１５ｂが第１及び第２の開口部２３，４２の開放位置に移動したとき、第２の係合凹部２６に係合される。また、このシャッタラック部材１１１は、中程に、シャッタラックベース１１２の回動軸が係合される回動凹部１１１ｄが形成されている。更に、第２の係合突起１１１ｃの裏側には、後述する待避バネによって押圧される被押圧突部１１１ｅが形成されている。更に、第２の係合突起１１１ｃの裏側には、突部１１１ｇが形成されている。この突部１１１ｇは、後述の第２の弾性片１１３ｂによって押圧される。
【００９６】
以上のようなシャッタラック部材１１１は、カートリッジホルダ６８の一方の側壁部６８ｂの内側に、図示しないガイド部によってスライド可能に取り付けられるシャッタラックベース１１２に取り付けられる。このシャッタラック部材１１１は、全体が略矩形であり、一方の長辺に、ギヤ部１１２ａが形成され、後述する駆動機構８５によって、カートリッジホルダ６８の一方の側壁部６８ｂに沿って、すなわち第１のディスクカートリッジ１１の移動方向に沿って移動できるようになっている。また、シャッタラックベース１１２には、シャッタラック部材１１１を取り付けるための取付用凹部１１２ｂが形成されている。取付用凹部１１２ｂは、シャッタラック部材１１１と略同じ大きさに形成され、シャッタラック部材１１１の回動凹部１１１ｄに係合されシャッタラック部材１１１を回動支持する回動軸１１２ｃが形成されている。したがって、シャッタラック部材１１１は、回動軸１１２ｃを中心に、第１及び第２の係合突起１１１ｂ，１１１ｃが選択的にカートリッジホルダ６８内の第１のディスクカートリッジ１１の側面に対して近接離間するように取付用凹部１１２ｂに回動可能に取り付けられることになる。
【００９７】
図３３に示すように、取付用凹部１１２ｂに取り付けられるシャッタラック部材１１１の裏側には、予圧バネとなる弾性部材１１３が取り付けられる。この弾性部材１１３は、板バネを打ち抜き折曲して形成されるものであって、シャッタラック部材１１１の第１の係合突起１１１ｂ側を押圧する第１の弾性片１１３ａと、シャッタラック部材１１１の第２の係合突起１１１ｃ側を押圧する第２の弾性片１１３ｂと、第１及び第２の弾性片１１３ａ，１１３ｂと反対側に鋭角に折曲された一対の第３の弾性片１１３ｃ，１１３ｃとを有している。このような弾性部材１１３は、シャッタラック部材１１１の裏面に形成された取付突起１１３ｄに熱かしめ等によって、シャッタラック部材１１１の裏面に沿うようにして固定される。そして、弾性部材１１３が取り付けられたシャッタラック部材１１１は、シャッタラックベース１１２の取付用凹部１１２ｂに回動可能に取り付けられることになる。かくして取付用凹部１１２ｂに取り付けられたシャッタラック部材１１１は、取付用凹部１１２ｂの底面との間に挟まれた第３の弾性片１１３ｃによって反発力が付与され、全体がカートリッジホルダ６８内の第１のディスクカートリッジ１１の側面側に付勢された状態で取付用凹部１１２ｂに取り付けられることになる。そして、第１の係合突起１１１ｂ側のアーム部分は、第１の弾性片１１３ａによって撓ませられることによって、弾性力が付与され、第１の係合突起１１１ｂを第１の係合凹部２５に係合し易くし、同様に、第２の係合突起１１１ｃ側のアーム部分は、突部１１１ｇと接触した第２の弾性片１１３ｂによって撓ませられることによって、弾性力が付与され、第２の係合突起１１１ｃを第２の係合凹部２６に係合し易くする。
【００９８】
ところで、カートリッジホルダ６８の一方の側壁部６８ｂには、図３４に示すように、この一方の側壁部６８ｂの内側にスライド可能に取り付けられたシャッタラックベース１１２のシャッタラック部材１１１の被押圧突部１１１ｅを選択的に押圧する押圧部材１１４が設けられている。この押圧部材１１４は、例えば長尺の板バネであり、一端が一方の側壁部６８ｂにかしめ等によって固定され、他端が、一方の側壁部６８ｂに取り付けられたシャッタラックベース１１２のシャッタラック部材１１１より離間する方向に反るように折曲され、他端側の先端に、シャッタラック部材１１１の被押圧突部１１１ｅを押圧する押圧部１１４ａが形成されている。
【００９９】
また、カートリッジホルダ６８の一方の側壁部６８ｂの外側には、シャッタラックベース１１２に並ぶようにしてメインラック１１５がスライド可能に取り付けられる。このメインラック１１５は、後述するが、シャッタラックベース１１２と同じ駆動機構８５によってスライドされるものであるが、常に、シャッタラックベース１１２とは逆向きにスライドするようになっている。図３５及び図３６に示すように、このメインラック１１５には、幅方向中程に長さ方向に押圧部材１１４が係合する直線状の溝部１１６が形成されている。この溝部１１６の一端部には、傾斜面で形成されたカム部１１６ａが形成されて、このカム部１１６ａによって押圧部材１１４の端部を押圧し、押圧部１１４ａがシャッタラックベース１１２のシャッタラック部材１１１に形成された被押圧突部１１１ｅを押圧するようになっている。
【０１００】
ここで、シャッタラックベース１１２とメインラック１１５の駆動機構８５について図１７、図３１及び図３７を用いて説明すると、この駆動機構８５は、カートリッジホルダ６８の天板部６８ａの一方の側壁部６８ｂ側の背面側に設けられるものであって、駆動モータ１２２を駆動源としている。そして、駆動機構８５は、駆動モータ１２２に接続された第１のギヤ列１２３を介して２段ギヤ１２４を回転し、更に、第１のギヤ列１２３を起点に第２のギヤ列１２５を介して第１の駆動ギヤ１２６を回転し、ギヤ部１１２ａに噛合した第１の駆動ギヤ１２６によってシャッタラックベース１１２をスライドするようになっている（経路Ｐ１）。また、駆動機構８５は、２段ギヤ１２４から第３のギヤ列１２７を介して第２の駆動ギヤ１２８を回転し、メインラック１１５の一方の長辺のギヤ部１１５ａに噛合した第２の駆動ギヤ１２８によってメインラック１１５がシャッタラックベース１１２とは逆向きにスライドするようにしている（経路Ｐ２）。すなわち、第１の駆動ギヤ１２６と第２の駆動ギヤ１２８とは、第１乃至第３のギヤ列１２３，１２５，１２７のギヤの数を調整することによって常に逆向きに回転するようになっている。
【０１０１】
次に、以上のように構成された第１のディスクカートリッジ１１の一対のシャッタ板１５ａ，１５ｂの開閉動作について説明する。先ず、シャッタ板１５ａ，１５ｂの開方向の動作について説明する。第１のディスクカートリッジ１１は、カートリッジホルダ６８内の所定位置に上述したカートリッジ搬送機構８２まで搬送されると、図５及び図３５に示すように、シャッタラック部材１１１の第１の係合突起１１１ｂがインナーロータ１４の第１の係合凹部２５に係合する。すると、駆動機構８５の第１の駆動ギヤ１２６によって、シャッタラックベース１１２は、図３５中矢印Ｋ方向にスライドし、同方向にシャッタラック部材１１１が移動することによって、第１の係合突起１１１ｂが第１の係合凹部２５に係合しているインナーロータ１４は、図３５中矢印Ａ方向に回転することになる。このとき、メインラック１１５は、第２の駆動ギヤ１２８によって、図３５中反矢印Ｋ方向にスライドし、押圧部材１１４は、メインラック１１５の溝部１１６内を反矢印Ｋ方向に移動する。そして、シャッタラックベース１１２が図３５中矢印Ｋ方向にスライドし続けることによって、次いで、シャッタラック部材１１１のラック部１１１ａは、インナーロータ１４のギヤ部２４に噛合して、インナーロータ１４を図３５中矢印Ａ方向に回転する。次いで、図６に示すように、一対のシャッタ板１５ａ，１５ｂが開いた状態で、シャッタラック部材１１１の第２の係合突起１１１ｃは、インナーロータ１４の第２の係合凹部２６に係合し、シャッタ板１５ａ，１５ｂの開状態を維持するように、インナーロータ１４の回転位置を保持する。
【０１０２】
また、シャッタ板１５ａ，１５ｂの閉動作について説明すると、図５に示すように、第２の係合突起１１１ｃが第２の係合凹部２６に係合しているインナーロータ１４は、シャッタラック部材１１１が図６中反矢印Ｋ方向にスライドすることによって、図６中反矢印Ａ方向に回転を開始し、次いで、インナーロータ１４のギヤ部２４とシャッタラック部材１１１のラック部１１１ａとが噛合し、更に、反矢印Ａ方向に回転する。この間、図３５に示すように、メインラック１１５は、シャッタラック部材１１１のスライド方向とが反対の矢印Ｋ方向にスライドする。そして、シャッタ板１５ａ，１５ｂが閉まると、図３６に示すように、シャッタラック部材１１１の第１の係合突起１１１ｂがインナーロータ１４の第１の係合凹部２５に係合した状態となる。ここで、反矢印Ｋ方向にスライドするシャッタラック部材１１１に対して矢印Ｋ方向にメインラック１１５がスライドすることで、押圧部材１１４は、メインラック１１５内の溝部１１６のカム部１１６ａによって押圧され、押圧部１１４ａによって、シャッタラック部材１１１の第２の係合突起１１１ｃ側にある被押圧突部１１１ｅを押圧する。これにより、シャッタラック部材１１１は、シャッタラックベース１１２の取付用凹部１１２ｂ内を回動軸１１２ｃを中心に、図３６中Ｌ方向に回動し、これにより、第１の係合突起１１１ｂは、インナーロータ１４の第１の係合凹部２６から外れることになる。第１のディスクカートリッジ１１は、この後、カートリッジ搬送機構８２によって、カートリッジホルダ６８より排出されることになる。
【０１０３】
以上のように、シャッタラック部材１１１の第１の係合突起１１１ｂは、最後までインナーロータ１４の第１の係合凹部２６に係合するものであるが、第１の係合突起１１１ｂは、押圧部材１１４がメインラック１１５内の溝部１１６のカム部１１６ａによって押圧され、図３６中矢印Ｌ方向に変位することによって、シャッタラック部材１１１の被押圧突部１１１ｅを押圧し、シャッタラック部材１１１を、回動軸１１２ｃを中心に、図３６中Ｌ方向に回動させ、第１のディスクカートリッジ１１をカートリッジホルダ６８から排出方向に移動させる直前に第１の係合凹部２６から外れることから、第１のディスクカートリッジ１１を円滑に移動させることができる。すなわち、この第１のシャッタ開閉機構８３では、第１のディスクカートリッジ１１を排出する際の第１の係合凹部２５に第１の係合突起１１１ｂが係合することによる付加を低減することができる。したがって、例えば、第１の係合突起１１１ｂは、第１の係合突起１１１ｂの係合面１１１ｆを略垂直面で形成し、第１の係合凹部２６と確実に係合するようにするようにしても、第１のディスクカートリッジ１１を排出方向に移動させる際の抗力を発生することを防止することができる。
【０１０４】
８．  位置検出機構（図１７、図３８乃至図４３）
第１のディスクカートリッジ１１は、図１７に示すように、上述したカートリッジ搬送機構８２によってカートリッジホルダ６８の所定位置まで搬送されると、上述した第１のシャッタ開閉機構８３によってシャッタ板１５ａ，１５ｂの開操作が行われる直前に、カートリッジホルダ６８の天板部６８ａの他方の側壁部６８ｂ側に配設された位置検出機構８７によって、カートリッジホルダ６８内の所定位置まで移動され位置決めがされたが検出される。第１のシャッタ開閉機構８３によるシャッタ板１５ａ，１５ｂの開操作は、位置決めが検出された後に行われることになる。そして、第１のディスクカートリッジ１１が第１のシャッタ開閉機構８３にるシャッタ板１５ａ，１５ｂの開操作によって所定位置からずれてしまうことを防止するようにしている。
【０１０５】
この位置検出機構８７は、図３８及び図３９（Ａ）及び図３９（Ｂ）に示すように、第１のディスクカートリッジ１１の識別凹部２８に係合するロック部材１３１と、このロック部材１３１が取り付けられるロックアーム１３２と、第１のディスクカートリッジ１１がカートリッジホルダ６８の所定位置に挿入されたとき第１のディスクカートリッジ１１の挿入端によって押圧される挿入検出部材１３３と、第１のディスクカートリッジ１１がカートリッジホルダ６８の所定位置に挿入されたことを検出する検出スイッチ１３４とを備えている。
【０１０６】
ロック部材１３１は、ロックアーム１３２の先端部に取り付けられる。このロックアーム１３２は、長尺の板バネであって、基端部がカートリッジホルダ６８の挿入口６９側の天板部６８ａにかしめ等により固定され、先端部にロック部材１３１が取り付けられる。ロック部材１３１が、カートリッジホルダ６８に挿入される第１のディスクカートリッジ１１を向かい入れる側の面が傾斜面で形成された突き当て部１３１ａとなっており、円滑にカートリッジホルダ６８に挿入された第１のディスクカートリッジ１１の挿入端に乗り上げることができるようになっている。このロック部材１３１は、第１のディスクカートリッジ１１がカートリッジ搬送機構８２によって移動されると、ロックアーム１３２が図３８中反矢印Ｍ方向の上側に撓むことによって一度第１のディスクカートリッジ１１に乗り上げ、この後、ロックアーム１３２の弾性によって、第１のディスクカートリッジ１１の識別凹部２８に係合することになる。
【０１０７】
また、カートリッジホルダ６８の背面側に位置するロックアーム１３２の先端部には、ロック部材１３１がカートリッジホルダ６８に挿入された第１のディスクカートリッジ１１の識別凹部２８に係合したとき、カートリッジホルダ６８の天板部６８ａに取り付けられた検出スイッチ１３４の検出子１３４ａを押圧するスイッチ押圧片１３２ａが形成されている。更に、カートリッジホルダ６８の背面側に位置するロックアーム１３２の先端部には、第１のディスクカートリッジ１１をカートリッジホルダ６８から排出方向に移動する際に、ロック部材１３１を第１のディスクカートリッジ１１の識別凹部２８から待避させる図３８中反矢印Ｍ方向に変位させるための被押圧片１３２ｂが形成されている。
【０１０８】
第１のディスクカートリッジ１１がカートリッジホルダ６８の所定位置に挿入されたとき第１のディスクカートリッジ１１の挿入端によって押圧される挿入検出部材１３３は、全体が略Ｌ字状に形成され、カートリッジホルダ６８の天板部６８ａであって、ロックアーム１３２の先端部の近傍において、屈曲部が支軸１３３ａによって第１のディスクカートリッジ１１の移動方向に回動可能に取り付けられている。この挿入検出部材１３３は、一端部に、カートリッジホルダ６８の内部に進入し、第１のディスクカートリッジ１１の挿入端、すなわち略円弧状の前面によって押圧される押圧片１３３ｂが形成されている。また、この挿入検出部材１３３は、付勢部材１３５によって、第１のディスクカートリッジ１１の挿入方向と反対方向となる図３８中矢印Ｎ方向に支軸１３３ａを中心に回動付勢されている。すなわち、付勢部材１３５は、例えばコイルバネで形成され、一端が、カートリッジホルダ６８の天板部６８ａの係止片１３５ａに係止され、他端が挿入検出部材１３３の一端部に形成された係止片１３５ｂに係止されることによって、挿入検出部材１３３を第１のディスクカートリッジ１１の挿入方向と反対方向に支軸１３３ａを中心に回動付勢する。
【０１０９】
挿入検出部材１３３の他端部には、ロックアーム１３２の先端部を押し上げる押上部となる押上片１３３ｃが形成されている。押上片１３３ｃは、第１のディスクカートリッジ１１が挿入されるのを待機する間、ロックアーム１３２の先端部を押し上げ、ロックアーム１３２のスイッチ押圧片１３２ａが検出スイッチ１３４の検出子１３４ａを押圧しないようにする。
【０１１０】
ところで、図１７に示すように、カートリッジホルダ６８の他方の側壁部６８ｂには、一方の側壁部６８ｂ側のメインラック１１５と同期する更なるメインラック１３６がスライド可能に取り付けられている。メインラック１１５とメインラック１３６とは、カートリッジホルダ６８の天板部６８ａに跨って位置されるシャフト１３７によって連結される。すなわち、シャフト１３７の一端のギヤ１３７ａは、メインラック１１５のラック部１１５ｂに噛合され、シャフト１３７の他端のギヤ１３７ｂは、メインラック１３６のラック１３６ａに噛合することによって、常に、同方向にスライドするようになっている。
【０１１１】
そして、カートリッジホルダ６８の他方の側壁部６８ｂにスライド可能に取り付けられるメインラック１３６上には、上述したロックアーム１３２の被押圧片１３２ｂが臨んでおり、この被操作片１３２ｂは、メインラック１３６に形成されたカム片１３６ｂによって押圧され、ロックアーム１３２を反る図３８中反矢印Ｍ方向に変位させる。
【０１１２】
次に、以上のように構成された位置検出機構８７の動作について説明する。第１のディスクカートリッジ１１がカートリッジホルダ６８に挿入される前の待機状態にあるとき、図３８及び図３９（Ａ）及び図３９（Ｂ）に示すように、挿入検出部材１３３は、付勢部材１３５の付勢力によって図３８及び図３９（Ａ）中矢印Ｎ方向に回動した状態にあり、挿入検出部材１３３の押上片１３３ｃは、ロックアーム１３２の先端部の下側に潜り込み、ロックアーム１３２の先端部を反矢印Ｍ方向に押し上げた状態となっており、ロックアーム１３２のスイッチ押圧片１３２ａは、検出スイッチ１３４の検出子１３４ａと非接触、すなわちＯＦＦの状態となっている。なお、メインラック１３６は、第１のディスクカートリッジ１１の挿入時、図３８中反矢印Ｋ方向にスライドする。
【０１１３】
そして、第１のディスクカートリッジ１１がカートリッジホルダ６８に挿入されカートリッジ搬送機構８２によって所定位置に向かって移動されると、先ず、図４０（Ａ）及び図４０（Ｂ）に示すように、第１のディスクカートリッジ１１の挿入端、すなわち略円弧状の前面は、矢印Ｎ方向に回動した挿入検出部材１３３の押圧片１３３ｂに当接し押圧される。これと共に、カートリッジホルダ６８内に進入しているロック部材１３１は、第１のディスクカートリッジ１１の挿入端に押圧されて乗り上げる。これにより、挿入検出部材１３３は、反矢印Ｎ方向に回動し、押上片１３３ｃがロックアーム１３２の先端部の下側から待避することになるが、これに代わって、ロックアーム１３２の先端部は、第１のディスクカートリッジ１１によって持ち上げられることになり、検出スイッチ１３４は、検出子１３４ａがスイッチ押圧片１３２ａと非接触でＯＦＦの状態が維持される。
【０１１４】
そして、第１のディスクカートリッジ１１がカートリッジホルダ６８の所定位置まで搬送されると、図４１（Ａ）、図４１（Ｂ）及び図４２に示すように、ロックアーム１３２の先端部のロック部材１３１は、ロックアーム１３２の付勢力によって下がり第１のディスクカートリッジ１１の識別凹部２８に係合する。これによって、検出スイッチ１３４は、検出子１３４ａがスイッチ押圧片１３２ａによって押圧されることによって、ＯＮの状態となり、第１のディスクカートリッジ１１が所定位置に至り、第１のディスクカートリッジ１１がロック部材１３１によって位置決めされたことを検出する。この状態に至ると、次いで、第１のシャッタ開閉機構８３によるシャッタ板１５ａ，１５ｂの開動作が開始することになる。
【０１１５】
第１のディスクカートリッジ１１を排出するときには、第１のシャッタ開閉機構８３によりシャッタ板１５ａ，１５ｂが閉じられると、次いで、メインラック１３６は、図３８及び図４３に示すように、矢印Ｋ方向にスライドすることによって、メインラック１３６のカム片１３６ｂにロックアーム１３２の被操作片１３２ｂが乗り上げ、ロックアーム１３２は、反る図３８中反矢印Ｍ方向に変位する。これによって、ロックアーム１３２の先端部のロック部材１３１は、カートリッジホルダ６８の所定位置にある第１のディスクカートリッジ１１の識別凹部２８から外れ、第１のディスクカートリッジ１１は、カートリッジ搬送機構８２によって第１のディスクカートリッジ１１が排出方向に移動可能な状態となる。そして、第１のディスクカートリッジ１１が排出方向に移動されると、挿入検出部材１３３は、付勢部材１３５の付勢力によって図４３中矢印Ｎ方向に回動し、挿入検出部材１３３の押上片１３３ｃは、ロックアーム１３２の先端部の下側に潜り込み、ロックアーム１３２の先端部を反矢印Ｍ方向に押し上げた状態とを維持し、次に第１のディスクカートリッジ１１が挿入可能な状態となる。
【０１１６】
９．  第２のシャッタ開閉機構（図１７、図４４乃至図５１）
図１７及び図４４に示すように、小型の第２のディスクカートリッジ３１のシャッタ板３５ａ，３５ｂを開閉する第２のシャッタ開閉機構８４は、カートリッジホルダ６８の天板部６８ａに回動可能に取り付けられるベース板１４１と、カートリッジホルダ６８の天板部６８ａに回転可能に取り付けられるカムギヤ１４２と、このカムギヤ１４２によって回動されるシャッタ開放アーム１４３とを備えている。
【０１１７】
ベース板１４１は、図１７及び図４４に示すように、カートリッジホルダ６８に対する第１及び第２のディスクカートリッジ１１，３１の挿入方向と直交する方向に亘って配置される部材であって、カートリッジホルダ６８の天板部６８ａに回動可能に取り付けられる。すなわち、ベース板１４１は、支軸１４１ａによって天板部６８ａに回動可能に取り付けられると共に、付勢部材となる捻りコイルバネ１４１ｂが支軸１４１ａに巻装され、一端が天板部６８ａに係止され他端がベース板１４１に係止されることによって、天板部６８ａに近接する図４４中矢印Ｏ方向に回動付勢されている。ベース板１４１の長手方向両端部には、カートリッジホルダ６８に標準的大きさの第１のディスクカートリッジ１１が挿入されたとき、第１のディスクカートリッジ１１によって押圧される検出部材１４４が設けられている。ベース板１４１の両端部に固定される検出部材１４４は、カートリッジホルダ６８の天板部６８ａより第１のディスクカートリッジ１１が挿入される内側に突出するように取り付けられている。一対の検出部材１４４は、第１のディスクカートリッジ１１が挿入されたときに限って、第１のディスクカートリッジ１１の薄い部分となっている第２の領域２９ｂによって押圧される。ベース板１４１は、カートリッジホルダ６８に第１のディスクカートリッジ１１が挿入されたとき、検出部材１４４が第１のディスクカートリッジ１１に押圧されることによって、捻りコイルバネ１４１ｂの付勢力に抗して、カートリッジホルダ６８の天板部６８ａから離間する図４４中反矢印Ｏ方向に回動することになる。
【０１１８】
カートリッジホルダ６８の天板部６８ａとこの天板部６８ａに回動可能に取り付けられたベース板１４１との間には、図１７、図３１、図４４及び図４５に示すように、カムギヤ１４２が配設される。このカムギヤ１４２は、天板部６８ａの支軸１４２ａによって天板部６８ａに回転自在に取り付けられており、第１のシャッタ開閉機構８３と共通の駆動機構８５によって回転される。具体的に、カムギヤ１４２には、外周にギヤ部１４５が形成されており、このギヤ部１４５に、駆動機構８５が接続される。すなわち、駆動機構８５は、駆動モータ１２２を駆動源とし、駆動モータ１２２に接続された第１のギヤ列１２３を介して２段ギヤ１２４を回転し、更に、第１のギヤ列１２３を起点に第２のギヤ列１２５で分岐した第３のギヤ列１２９の回転ギヤ１２９ａによって、回転ギヤ１２９ａがギヤ部１４５に噛合したカムギヤ１４２を回転する（経路Ｐ３）。
【０１１９】
このカムギヤ１４２には、厚さ方向に貫通したカム溝１４６が形成されている。このカム溝１４６は、外周側から内周側に向かって徐々に縮径するように作用部１４６ａが形成され、内周端に、非作用部となるカムギヤ１４２の支軸１４２ａと同心の円弧状溝１４６ｂが形成されている。
【０１２０】
なお、ベース板１４１には、カムギヤ１４２の支軸１４２ａの先端部を逃げる逃げ孔１４６ｃが形成されている。
【０１２１】
このカムギヤ１４２は、第２のディスクカートリッジ３１のローテーションホイール３４の凹状の被操作部４４に係合して、ローテーションホイール３４を回動することによってシャッタ板３５ａ，３５ｂを回動するシャッタ開放アーム１４３を回動する。すなわち、図４４乃至図４６に示すように、このシャッタ開放アーム１４３は、基端部が回動支点部材１４７によって回動可能に取り付けられている。このシャッタ開放アーム１４３の回動支点は、カートリッジホルダ６８に第２のディスクカートリッジ３１が所定位置に保持されているとき、ローテーションホイール３４の回動支点と一致する位置に設けられており、シャッタ開放アーム１４３の先端部に略Ｃ字状に折曲して形成された係合部１４８が第２のディスクカートリッジ３１のローテーションホイール３４の被操作部４４に係合してローテーションホイール３４を回動できるようにしている。
【０１２２】
シャッタ開放アーム１４３の先端部に形成された係合部１４８は、図４７に示すように、カートリッジホルダ６８の天板部６８ａのガイド孔１４８ａより内方に臨まされ、カートリッジホルダ６８内に挿入される第２のディスクカートリッジ３１のローテーションホイール３４に形成された被操作部４４を待ち受けるように形成されている。この係合部１４８は、更に、カートリッジホルダ６８内において、第２のディスクカートリッジ３１が奥にまで入りすぎず、所定位置で止まるようにするストッパとしても機能する。
【０１２３】
ベース板１４１に回動可能に取り付けられるシャッタ開放アーム１４３には、その中程に、カートリッジホルダ６８の天板部６８ａに取り付けられたカムギヤ１４２のカム溝１４６に係合するカム突起１４９が形成されている。このカム突起１４９は、カートリッジホルダ６８に第１のディスクカートリッジ１１が挿入されたとき、検出部材１４４が第１のディスクカートリッジ１１に押圧されることによって、ベース板１４１が捻りコイルバネ１４１ｂの付勢力に抗して、カートリッジホルダ６８の天板部６８ａから離間する図４４中反矢印Ｏ方向に回動することによって、カム溝１４２ａから外れる。
【０１２４】
以上のように構成される第２のシャッタ開閉機構８４は、第２のディスクカートリッジ３１がカートリッジホルダ６８の所定位置まで搬送されるのを待ち受けているとき、図４４乃至図４７に示すような状態にある。すなわち、第２のディスクカートリッジ３１を待ち受けているとき、シャッタ開放アーム１４３のカム突起１４９は、カムギヤ１４２のカム溝１４６の外周側の一端部に位置している。そして、第１のディスクカートリッジ３１がカートリッジホルダ６８内の所定位置まで搬送されると、図４７に示すように、シャッタ開放アーム１４３の係合部１４８は、第２のディスクカートリッジ３１のローテーションホイール３４の被操作部４４に係合する。そして、カムギヤ１４２は、図４５中矢印Ｐ方向に回転する。すると、カムギヤ１４２の回転に伴って、カム突起１４９は、カム溝１４６内を外周側から内周側に向かって移動し、作用部１４６ａ内を移動することによって、シャッタ開放アーム１４３を、図４５中矢印Ｑ方向、すなわち第２のディスクカートリッジ３１のシャッタ板３５ａ，３５ｂを開放する方向にローテーションホイール３４を回動する。すると、第２のディスクカートリッジ１１は、図１０に示した閉状態から図１１に示した開状態にとなる。すなわち、図４８及び図４９に示すように、ローテーションホイール３４がシャッタ板３５ａ，３５ｂを開く状態まで回動されたとき、シャッタ開放アーム１４３のカム突起１４９は、カムギヤ１４２のカム溝１４６の作用部１４６ａから円弧状溝１４６ｂにまで移動する。第２のディスクカートリッジ３１は、上述のように、ローテーションホイール３４が付勢部材４５によってシャッタ板３５ａ，３５ｂが第１及び第２の開口部３９，４３とを閉塞する図１０中反矢印Ｃ方向に回動する方向に付勢されているが、この付勢部材４５の付勢力を受けるシャッタ開放アーム１４３は、カム突起１４９がカム溝１４６の非作用部となっている円弧状溝１４６ｂに位置することによって、付勢部材４５の付勢力がカムギヤ１４２を介して駆動機構８５のギヤ列に伝達されないようにしている。
【０１２５】
また、シャッタ板３５ａ，３５ｂを閉める場合は、カムギヤ１４２が反矢印Ｐ方向に回転し、シャッタ開放アーム１４３が反矢印Ｑ方向に回動することによって行われることになる。
【０１２６】
なお、この小型の第２のディスクカートリッジ３１の第２のシャッタ開閉機構８４は、標準的大きさの第１のディスクカートリッジ１１の第１のシャッタ開閉機構８３と同じ駆動機構８５を駆動源としている。したがって、第２のシャッタ開閉機構８４がローテーションホイール３４をシャッタ板３５ａ，３５ｂが開く図４５及び図４８中矢印Ｑ方向に回動しているとき、第１のディスクカートリッジ１１のシャッタ開閉機構８３は、第１のディスクカートリッジ１１のインナーロータ１４を回転するために、駆動機構８５の最終段の第１の駆動ギヤ１２６によって、シャッタラック部材１１１が取り付けられるシャッタラックベース１１２を矢印Ｋ方向にスライドすることになる。
【０１２７】
ところで、第１のディスクカートリッジ１１がカートリッジホルダ６８に挿入されたときには、図５０及び図５１に示すように、ベース板１４１に回動可能に取り付けられたシャッタ開放アーム１４３は、検出部材１４４が第１のディスクカートリッジ１１に押圧されることによって、ベース板１４１が捻りコイルバネ１４１ｂの付勢力に抗して、カートリッジホルダ６８の天板部６８ａから離間する図４４中反矢印Ｏ方向に回動することによって持ち上げられ、先端部の係合部１４８は、カートリッジホルダ６８内から待避され、第１のディスクカートリッジ１１がカートリッジホルダ６８の所定位置まで挿入可能な状態となる。そして、シャッタ開放アーム１４３がベース板１４１によって持ち上げられることによって、シャッタ開放アーム１４３のカム突起１４９は、カム溝１４２ａから外れ、回動不能な状態となる。そして、第１のディスクカートリッジ１１は、上述のように、シャッタラック部材１１１が取り付けられるシャッタラックベース１１２が矢印Ｋ方向にスライドすることによって、インナーロータ１４がシャッタ板１５ａ，１５ｂが第１及び第２の開口部１８，２３を開放する方向に回転されることになる。
【０１２８】
１０．  押圧機構とカートリッジホルダの昇降機構（図１４、図１７、図５２乃至図６１）
図１７に示すように、カートリッジホルダ６８の天板部６８ａには、ローディングする第１及び第２のディスクカートリッジ１１，３１を押圧する押圧機構８６が設けられている。この押圧機構８６は、図５２及び図５３に示すように、カートリッジホルダ６８の天板部６８ａであって挿入口６９側に、第１及び第２のディスクカートリッジ１１，３１の挿入方向と略直交するように配設される弾性支持部材１５１と、弾性支持部材１５１の両端部に設けられて第１のディスクカートリッジ１１を押圧する第１の押圧支持部材１５２と、弾性支持部材１５１の第１の押圧支持部材１５２の内側に設けられて第２のディスクカートリッジ３１を押圧する第２の押圧支持部材１５３とを備えている。
【０１２９】
弾性支持部材１５１は、図５２及び図５３に示すように、板バネ等の弾性板によって形成されており、第１及び第２のディスクカートリッジ１１，３１の挿入方向と反対側を基端部として、カートリッジホルダ６８の天板部６８ａにかしめ等によって２カ所で固定されている。この固定点を、以下、固定部１５４という。
【０１３０】
弾性支持部材１５１の両側には、固定部１５４より外側でカートリッジホルダ６８に挿入される第１のディスクカートリッジ１１の薄い第２の領域２９ｂ（厚さＴ２＝７．８ｍｍ）に対応して第１の押圧支持部材１５２が取り付けられている。一対の第１の押圧支持部材１５２は、カートリッジホルダ６８の挿入口６９よりカートリッジホルダ６８の内側に臨まされる。各第１の押圧支持部材１５２は、図５４に示すように、第１のディスクカートリッジ１１の第２の領域２９ｂを押圧する第１の押圧部１５２ａが形成されていると共に、カートリッジホルダ６８の挿入口６９近傍の天板部６８ａと係合する係合段部１５２ｂが形成されている。
【０１３１】
更に、弾性支持部材１５１には、一対の第１の押圧支持部材１５２の内側であって、更に先端側に、一対の第２の押圧支持部材１５３が取り付けられている。一対の第２の押圧支持部材１５３は、カートリッジホルダ６８に挿入される第２のディスクカートリッジ３１の厚い、第３の領域４０ａ（厚さＴ３＝９．１ｍｍ）に対応して取り付けられている。一対の第２の押圧支持部材１５３は、カートリッジホルダ６８の挿入口６９の先よりカートリッジホルダ６８の内側に臨まされる。各第２の押圧支持部材１５３は、図５４に示すように、第２のディスクカートリッジ３１の第３の領域４０ａを押圧する第２の押圧部１５３ａが形成されている。
【０１３２】
具体的に、弾性支持部材１５１に設けられる第１の押圧支持部材１５２と第２の押圧支持部材１５３との関係を図５５を参照して説明すると、第１の押圧支持部材１５２は、第１のディスクカートリッジ１１の薄い第２の領域２９ｂ（厚さＴ２＝７．８ｍｍ）を押圧するものであり、第２の押圧支持部材１５３は、第２のディスクカートリッジ３１の厚い第３の領域４０ａ（厚さＴ３＝９．１ｍｍ）を押圧するものである。そこで、第１の押圧支持部材１５２は、厚さＴ２と厚さＴ３との差に対応させて、第２の押圧支持部材１５３より大きく、カートリッジホルダ６８内への突出量が大きくなるように形成されている。また、図５６に示すように、第１の押圧支持部材１５２と第２の押圧支持部材１５３とは、第１の押圧支持部材１５２の固定部１５４からの長さＬ１が第２の押圧支持部材１５３からの長さＬ３より短くなるように弾性支持部材１５１に取り付けられる。これにより、カートリッジホルダ６８内に第１のディスクカートリッジ１１が挿入され、第１の押圧支持部材１５２が第１のディスクカートリッジ１１を押圧し、弾性支持部材１５１が反るように変位したとき、第１の押圧支持部材１５２より弾性支持部材１５１の先端側に取り付けられた第２の押圧支持部材１５３は、第１の押圧支持部材１５２より高く上がり、第１のディスクカートリッジ１１と非接触となるようにカートリッジホルダ６８より待避することになる。
【０１３３】
なお、以上の例では、一連の弾性支持部材１５１の一方の側に一対の第１及び第２の押圧支持部材１５２，１５３の内一方を取り付け、弾性支持部材１５１の他方の側に他方の第１及び第２の押圧支持部材１５２，１５３を取り付ける場合を説明したが、この弾性支持部材１５１は、２つの板バネで構成し、それぞれの弾性支持部材１５１をカートリッジホルダ６８の天板部６８ａに固定し、各弾性支持部材１５１に、第１及び第２の押圧支持部材１５２，１５３を一つずつ取り付けるようにしても良い。また、第１及び第２の押圧支持部材１５２，１５３の数もこれに限定されるものではない。
【０１３４】
以上のような押圧機構８６では、第１の押圧支持部材１５２の係合段部１５２ｂが天板部６８ａの挿入口６９の近傍に係合し、常時、僅かに反るように変位した状態になっており、弾性支持部材１５１の弾性力を天板部６８ａで受けるようにしている。したがって、第１のディスクカートリッジ１１がカートリッジホルダ６８の所定位置に至るまで、第１の押圧支持部材１５２の第１の押圧部１５２ａは、第１のディスクカートリッジ１１の薄い第２の領域２９ｂに対して軽く接触し又は非接触の状態となっており、ローラを用いたカートリッジ搬送機構８２で第１のディスクカートリッジ１１を所定位置に搬送するまでの間の負荷を軽減するようにしている。また、第２のディスクカートリッジ３１用の第２の押圧支持部材１５３は、弾性支持部材１５１の先端側に設けられていることで、天板部６８ａより第１の押圧支持部材１５２より更に高く上がっていることから、第１のディスクカートリッジ１１と非接触又は軽く接触した状態となっている。
【０１３５】
また、第２のディスクカートリッジ３１がカートリッジホルダ６８の所定位置に至るまで、第２の押圧支持部材１５３の第２の押圧部１５３ａは、第２のディスクカートリッジ３１の薄い第３の領域４０ａに対して軽く接触し又は非接触の状態となっており、ローラを用いたカートリッジ搬送機構８２で第２のディスクカートリッジ３１を所定位置に搬送するまでの間の負荷を軽減するようにしている。
【０１３６】
次に、カートリッジホルダ６８の昇降機構１６１を説明する。図１４、図１７、図５７乃至図５９に示すように、カートリッジホルダ６８の昇降機構１６１は、メインフレーム６２の側壁部６２ｂに形成された複数の昇降カム溝１６２と上下に直線状の昇降ガイド溝１６３とを有している。一方、上述したように、カートリッジホルダ６８の側壁部６８ｂには、カートリッジホルダ６８の一方の側壁部６８ｂの外側に、シャッタラックベース１１２に並ぶようにしてメインラック１１５がスライド可能に取り付けられる。そして、メインフレーム６２の側壁部６２ｂに形成された昇降カム溝１６２には、カートリッジホルダ６８の側壁部６８ｂに対してスライドするメインラック１１５に突設された昇降用カム突起１６４が係合され、昇降ガイド溝１６３には、カートリッジホルダ６８の側壁部６８ｂに突設され、メインラック１１５をガイド孔１６５ａを介して挿通した昇降ガイド突起１６５が係合される。
【０１３７】
昇降カム溝１６２は、連続した上段溝部１６２ａと下段溝部１６２ｂと上段溝部１６２ａと下段溝部１６２ｂとを接続する傾斜溝部１６２ｃとで構成されている。メインラック１１５の昇降用カム突起１６４が上段溝部１６２ａに位置しているとき、カートリッジホルダ６８は、記録再生部７２が設けられた第１のドライブユニット６３から離間し第１及び第２のディスクカートリッジ１１，３１の搬送を行うとができる状態となる。また、メインラック１１５の昇降用カム突起１６４が下段溝部１６２ｂに位置しているとき、カートリッジホルダ６８は、記録再生部７２が設けられた第１のドライブユニット６３に近接し、記録再生が可能な状態となる。また、昇降用カム突起１６４が上段溝部１６２ａと下段溝部１６２ｂとの間の傾斜溝部１６２ｃに位置しているときは、カートリッジホルダ６８の昇降が行われているときとなる。
【０１３８】
上述したように、メインラック１１５は、シャッタラックベース１１２とは逆向きにスライドするようになっており、第１及び第２のディスクカートリッジ１１，３１をカートリッジホルダ６８内の所定位置にまで搬送するとき、メインラック１１５は、第２の駆動ギヤ１２８によって、図５７中反矢印Ｋ方向にスライドする。これによって、昇降用カム突起１６４が上段溝部１６２ａ内を傾斜溝部１６２ｃ側に移動する。そして、更に、メインラック１１５が図５７中反矢印Ｋ方向にスライドすると、図５８に示すように、昇降用カム突起１６４は、昇降カム溝１６２の傾斜溝部１６２ｃ内を上から下に向かって移動し、最後に、図５９に示すように、下段溝部１６２ｂに移動する。
【０１３９】
このとき、カートリッジホルダ６８の第１のディスクカートリッジ１１又は第２のディスクカートリッジ３１を下側から支持しているカートリッジ支持片６８ｃは、第１のドライブユニット６３のベース７１に当接する。そして、カートリッジホルダ６８に保持されている第１のディスクカートリッジ１１又は第２のディスクカートリッジ３１は、カートリッジ支持片６８ｃに代わって図１６に示す第１の装着基準部７８又は第２の装着基準部７９に支持されることになり、カートリッジ支持片６８ｃより僅かに浮き上がる。
【０１４０】
第１のディスクカートリッジ１１が第１の装着基準部７８に支持され僅かに浮き上がったときには、図６０に示すように、第１のディスクカートリッジ１１の薄い第２の領域２９ｂが押圧機構８６の第１の押圧支持部材１５２の第１の押圧部１５２ａを押圧することで、弾性支持部材１５１が弾性力に抗して反り、これにより、天板部６８ａと係合段部１５２ｂで係合している第１の押圧支持部材１５２が天板部６８ａより浮き上がり、第１のディスクカートリッジ１１は、第１の装着基準部７８に圧着支持され、がたつきが防止される。
【０１４１】
なお、第１のディスクカートリッジ１１が装着されたとき、第２のディスクカートリッジ３１用の第２の押圧支持部材１５３は、第１の押圧支持部材１５２より弾性支持部材１５１の先端側に取り付けられていることで、第１のディスクカートリッジ１１と非接触となるようにカートリッジホルダ６８より待避する。したがって、第１のディスクカートリッジ１１が装着されるときに、第２の押圧支持部材１５３が第１のディスクカートリッジ１１に対して不要な圧力を加え、第１のカートリッジ本体１２を変形させることを防止することができる。
【０１４２】
また、第２のディスクカートリッジ３１が第２の装着基準部７９に支持され僅かに浮き上がったときには、図６１に示すように、第２のディスクカートリッジ３１の厚い第３の領域４０ａが押圧機構８６の第２の押圧支持部材１５３の第２の押圧部１５３ａを押圧することで、弾性支持部材１５１が弾性力に抗して反り、これにより、第２のディスクカートリッジ３１は、第２の装着基準部７９に圧着支持されることになる。このとき、第１のディスクカートリッジ１１用の第１の押圧支持部材１５２は、第２のディスクカートリッジ３１の外側にあり、第１の押圧支持部材１５３が第２のディスクカートリッジ３１に対して不要な圧力を加え、第２のカートリッジ本体３２を変形させることを防止することができる。
【０１４３】
以上の例では、押圧機構８６の第１の押圧支持部材１５２に関し、第１のディスクカートリッジ１１の搬送時、カートリッジホルダ６８の天板部６８ａに係合段部１５２ｂを係合させておき、移動する第１のディスクカートリッジ１１に対する負荷を軽減する場合を説明したが、この他、第１のディスクカートリッジ１１の移動時のがたつきや振動を防止することを優先する場合には、第１のディスクカートリッジ１１の移動時に係合段部１５２ｂを天板部６８ｂに係合させることななく、弾性支持部材１５１の弾性力を用いて第１のディスクカートリッジ１１を押さえ付けるようにしても良い。
【０１４４】
１１．  全体の動作
次に、第１のディスクカートリッジ１１及び第２のディスクカートリッジ３１のローディング動作について説明する。
【０１４５】
本発明が適用された記録再生装置６１は、図１３に示すように、ビデオカメラ装置６０に内蔵され、ビデオカメラ装置６０の上面から、すなわち図１３中矢印Ｆ方向から第１及び第２のディスクカートリッジ１１，３１が挿入される。すると、先ず、挿入された第１及び第２のディスクカートリッジ１１，３１は、上述したカートリッジ挿入ガイド機構１０１によって挿入がガイドされてカートリッジホルダ６８内に挿入される。
【０１４６】
１１−１  第１のディスクカートリッジのローディングについて
第１のディスクカートリッジ１１が挿入されるときには、図２７に示すように、矢印Ｊ方向に回動付勢されている回動押圧部材１０５，１０５は、第２の付勢部材１０８の付勢力に抗して反矢印Ｊ方向に回動される。すると、回動押圧部材１０５，１０５の押圧片１０５ｂが挿入ガイド部材１０３の受け板１０３ａ，１０３ａから離間することなり、これに伴って、挿入ガイド部材１０３は、第１の付勢部材１０７の付勢力によって矢印Ｉ方向に回動する。これによって、挿入ガイド部材１０３の挿入規制片１０４，１０４は、カートリッジホルダ６８内から待避し、第１のディスクカートリッジ１１が挿入可能な状態となる。
【０１４７】
次いで、カートリッジホルダ６８内に挿入された第１のディスクカートリッジ１１は、カートリッジ搬送機構８２によってカートリッジホルダ６８内の所定位置まで搬送されることになる。具体的に、第１のディスクカートリッジ１１が挿入されるとき、図２１（Ａ）及び図２１（Ｂ）に示すように、第１のディスクカートリッジ１１が挿入されると、第１のローラ９２，９２が第１のディスクカートリッジ１１の搬送方向の上シェル１６側の両側縁部であって、第１の領域２９ａ（厚さＴ１＝９．１ｍｍ）の周辺部分の第２の領域２９ｂ（厚さＴ２＝７．８ｍｍ）の領域に接触する。この際、第１のローラ９２，９２は、ローラ軸９１が押圧付勢部材９５，９５によって押圧されていることによって、図２２に示すように、上シェル１６側の両側縁部に圧接される。なお、第１のディスクカートリッジ１１の搬送時、第１のディスクカートリッジ１１の下シェル１７側の面は、カートリッジホルダ６８のカートリッジ支持片６８ｃ，６８ｃに支持される。そして、第１のディスクカートリッジ１１は、駆動部９７によってローラ軸９１と一体的に第１のローラ９２，９２が一方向に回転すると、カートリッジホルダ６８の内側に向かって移動を開始する。なお、第２のディスクカートリッジ３１用の第２のローラ９３，９３は、第１のディスクカートリッジ１１の厚い第１の領域２９ａ（Ｔ１＝９．１ｍｍ）に対向しているが、第１のローラ９２，９２より小径に形成されているため、第１のディスクカートリッジ１１に対して非接触であり、第１のディスクカートリッジ１１の搬送を阻害することはない。
【０１４８】
そして、カートリッジホルダ６８の所定位置にまで搬送された第１のディスクカートリッジ１１は、次に、位置検出機構８７によって、カートリッジホルダ６８内の所定位置まで移動され位置決めがされたが検出される。具体的に、第１のディスクカートリッジ１１がカートリッジホルダ６８に挿入される前の待機状態にあるとき、図３８及び図３９（Ａ）及び図３９（Ｂ）に示すように、挿入検出部材１３３は、付勢部材１３５の付勢力によって図３８及び図３９（Ａ）中矢印Ｎ方向に回動した状態にあり、挿入検出部材１３３の押上片１３３ｃは、ロックアーム１３２の先端部の下側に潜り込み、ロックアーム１３２の先端部を反矢印Ｍ方向に押し上げた状態となっており、ロックアーム１３２のスイッチ押圧片１３２ａは、検出スイッチ１３４の検出子１３４ａと非接触、すなわちＯＦＦの状態となっている。なお、メインラック１３６は、第１のディスクカートリッジ１１の挿入時、図３８中反矢印Ｋ方向にスライドする。
【０１４９】
そして、第１のディスクカートリッジ１１がカートリッジホルダ６８に挿入されカートリッジ搬送機構８２によって所定位置に向かって移動されると、先ず、図４０（Ａ）及び図４０（Ｂ）に示すように、第１のディスクカートリッジ１１の挿入端、すなわち略円弧状の前面は、矢印Ｎ方向に回動した挿入検出部材１３３の押圧片１３３ｂに当接し押圧される。これと共に、カートリッジホルダ６８内に進入しているロック部材１３１は、第１のディスクカートリッジ１１の挿入端に押圧されて乗り上げる。これにより、挿入検出部材１３３は、反矢印Ｎ方向に回動し、押上片１３３ｃがロックアーム１３２の先端部の下側から待避することになるが、これに代わって、ロックアーム１３２の先端部は、第１のディスクカートリッジ１１によって持ち上げられることになり、検出スイッチ１３４は、検出子１３４ａがスイッチ押圧片１３２ａと非接触でＯＦＦの状態が維持される。
【０１５０】
そして、第１のディスクカートリッジ１１がカートリッジホルダ６８の所定位置まで搬送されると、図４１（Ａ）、図４１（Ｂ）及び図４２に示すように、ロックアーム１３２の先端部のロック部材１３１は、ロックアーム１３２の付勢力によって下がり第１のディスクカートリッジ１１の識別凹部２８に係合する。これによって、検出スイッチ１３４は、検出子１３４ａがスイッチ押圧片１３２ａによって押圧されることによって、ＯＮの状態となり、第１のディスクカートリッジ１１が所定位置に至り、第１のディスクカートリッジ１１がロック部材１３１によって位置決めされたことを検出する。この状態に至ると、次いで、第１のシャッタ開閉機構８３によるシャッタ板１５ａ，１５ｂの開動作が開始することになる。
【０１５１】
具体的に、第１のディスクカートリッジ１１は、カートリッジホルダ６８内の所定位置に上述したカートリッジ搬送機構８２まで搬送されると、図５及び図３５に示すように、シャッタラック部材１１１の第１の係合突起１１１ｂがインナーロータ１４の第１の係合凹部２５に係合する。すると、駆動機構８５の第１の駆動ギヤ１２６によって、シャッタラックベース１１２は、図３５中矢印Ｋ方向にスライドし、同方向にシャッタラック部材１１１が移動することによって、第１の係合突起１１１ｂが第１の係合凹部２５に係合しているインナーロータ１４は、図３５中矢印Ａ方向に回転することになる。このとき、メインラック１１５は、第２の駆動ギヤ１２８によって、図３５中反矢印Ｋ方向にスライドし、押圧部材１１４は、メインラック１１５の溝部１１６内を反矢印Ｋ方向に移動する。そして、シャッタラックベース１１２が図３５中矢印Ｋ方向にスライドし続けることによって、次いで、シャッタラック部材１１１のラック部１１１ａは、インナーロータ１４のギヤ部２４に噛合して、インナーロータ１４を図３５中矢印Ａ方向に回転する。次いで、図６に示すように、一対のシャッタ板１５ａ，１５ｂが開いた状態で、シャッタラック部材１１１の第２の係合突起１１１ｃは、インナーロータ１４の第２の係合凹部２６に係合し、シャッタ板１５ａ，１５ｂの開状態を維持するように、インナーロータ１４の回転位置を保持する。
【０１５２】
なお、第１のディスクカートリッジ１１がカートリッジホルダ６８に挿入されたときには、図５０及び図５１に示すように、ベース板１４１に回動可能に取り付けられたシャッタ開放アーム１４３は、検出部材１４４が第１のディスクカートリッジ１１に押圧されることによって、ベース板１４１が捻りコイルバネ１４１ｂの付勢力に抗して、カートリッジホルダ６８の天板部６８ａから離間する図４４中反矢印Ｏ方向に回動することによって持ち上げられ、先端部の係合部１４８は、カートリッジホルダ６８内から待避され、第１のディスクカートリッジ１１がカートリッジホルダ６８の所定位置まで挿入可能な状態となる。
【０１５３】
また、押圧機構８６では、図５４に示すように、第１の押圧支持部材１５２の係合段部１５２ｂが天板部６８ａの挿入口６９の近傍に係合し、常時、僅かに反るように変位した状態になっており、弾性支持部材１５１の弾性力を天板部６８ａで受けるようにしている。したがって、第１のディスクカートリッジ１１がカートリッジホルダ６８の所定位置に至るまで、第１の押圧支持部材１５２の第１の押圧部１５２ａは、第１のディスクカートリッジ１１の薄い第２の領域２９ｂに対して軽く接触し又は非接触の状態となっており、ローラを用いたカートリッジ搬送機構８２で第１のディスクカートリッジ１１を所定位置に搬送するまでの間の負荷を軽減するようにしている。また、第２の押圧支持部材１５３は、弾性支持部材１５１の先端側に設けられていることで、天板部６８ａより第１の押圧支持部材１５２より更に高く上がっていることから、第１のディスクカートリッジ１１と非接触又は軽く接触した状態となっている。
【０１５４】
以上のように、カートリッジホルダ６８内の所定位置で第１及び第２の開口部１８，２３が開放され記録再生が可能となった第１のディスクカートリッジ１１は、記録再生を行う第１のドライブユニット６３と離間した状態にあるので、次いで、昇降機構１６１によって第１のドライブユニット６３に向かって降下される。具体的に、メインラック１１５は、シャッタラックベース１１２とは逆向きにスライドするようになっており、第１のディスクカートリッジ１１をカートリッジホルダ６８内の所定位置にまで搬送するとき、メインラック１１５は、第２の駆動ギヤ１２８によって、図５７中反矢印Ｋ方向にスライドする。これによって、昇降用カム突起１６４が上段溝部１６２ａ内を傾斜溝部１６２ｃ側に移動する。そして、更に、メインラック１１５が図５７中反矢印Ｋ方向にスライドすると、図５８に示すように、昇降用カム突起１６４は、昇降カム溝１６２の傾斜溝部１６２ｃ内を上から下に向かって移動し、最後に、図５９に示すように、下段溝部１６２ｂに移動する。
【０１５５】
このとき、カートリッジホルダ６８の第１のディスクカートリッジ１１を下側から支持しているカートリッジ支持片６８ｃは、第１のドライブユニット６３のベース７１に当接する。そして、カートリッジホルダ６８に保持されている第１のディスクカートリッジ１１は、カートリッジ支持片６８ｃに代わって図１６に示す第１の装着基準部７８に支持されることになり、カートリッジ支持片６８ｃより僅かに浮き上がる。
【０１５６】
第１のディスクカートリッジ１１が第１の装着基準部７８に支持され僅かに浮き上がったときには、図６０に示すように、第１のディスクカートリッジ１１の薄い第２の領域２９ｂが押圧機構８６の第１の押圧支持部材１５２の第１の押圧部１５２ａを押圧することで、弾性支持部材１５１が弾性力に抗して反り、これにより、天板部６８ａと係合段部１５２ｂで係合している第１の押圧支持部材１５２が天板部６８ａより浮き上がり、第１のディスクカートリッジ１１は、第１の装着基準部７８に圧着支持され、がたつきが防止される。そして、第１のディスクカートリッジ１１が装着されたとき、第２のディスクカートリッジ３１用の第２の押圧支持部材１５３は、第１の押圧支持部材１５２より弾性支持部材１５１の先端側に取り付けられていることで、第１のディスクカートリッジ１１と非接触となるようにカートリッジホルダ６８より待避する。
【０１５７】
かくして、記録再生装置６１は、第１のディスクカートリッジ１１のローディングが完了し、データの記録や再生を行うことができるようになる。すなわち、第１の光ディスク１３は、図１６に示すディスクテーブル７３ｂによって回転され、光ピックアップ７４によって光ビームが照射され第１の光ディスク１３で反射された戻りの光ビームを検出することによって、第１の光ディスク１３に新たなデータを記録し、また、第１の光ディスク１３に記録されているデータの読み出しを行う。
【０１５８】
１１−２  第１のディスクカートリッジのアンローディングについて
記録再生が終了すると、先ず、昇降機構１６１がカートリッジホルダ６８の降下時とは逆動作を行うことによって、カートリッジホルダ６８が第１のドライブユニット６３から離間するように上昇され、次いで、第１のシャッタ開閉機構８３によってシャッタ板１５ａ，１５ｂが閉じられることになる。具体的に、図５に示すように、第２の係合突起１１１ｃが第２の係合凹部２６に係合しているインナーロータ１４は、シャッタラック部材１１１が図６中反矢印Ｋ方向にスライドすることによって、図６中反矢印Ａ方向に回転を開始し、次いで、インナーロータ１４のギヤ部２４とシャッタラック部材１１１のラック部１１１ａとが噛合し、更に、反矢印Ａ方向に回転する。この間、図３５に示すように、メインラック１１５は、シャッタラック部材１１１のスライド方向とが反対の矢印Ｋ方向にスライドする。そして、シャッタ板１５ａ，１５ｂが閉まると、図３６に示すように、シャッタラック部材１１１の第１の係合突起１１１ｂがインナーロータ１４の第１の係合凹部２５に係合した状態となる。ここで、反矢印Ｋ方向にスライドするシャッタラック部材１１１に対して矢印Ｋ方向にメインラック１１５がスライドすることで、押圧部材１１４は、メインラック１１５内の溝部１１６のカム部１１６ａによって押圧され、押圧部１１４ａによって、シャッタラック部材１１１の第２の係合突起１１１ｃ側にある被押圧突部１１１ｅを押圧する。これにより、シャッタラック部材１１１は、シャッタラックベース１１２の取付用凹部１１２ｂ内を回動軸１１２ｃを中心に、図３６中Ｌ方向に回動し、これにより、第１の係合突起１１１ｂは、インナーロータ１４の第１の係合凹部２６から外れることになる。第１のディスクカートリッジ１１は、この後、カートリッジ搬送機構８２によって、カートリッジホルダ６８より排出されることになる。
【０１５９】
具体的に、また、図２２に示すように、第１のディスクカートリッジ１１を排出する（矢印Ｅｊ方向）とき、第１のローラ９２，９２は、回動可能な支持アーム９４，９４によって、第１のディスクカートリッジ１１に対して矢印Ｇ方向の食い込み力が発生する図２２中矢印Ｈ方向に回転する。図１３に示すように、本発明が適用された記録再生装置６１は、ビデオカメラ装置６０の上面から第１及び第２のディスクカートリッジ１１，３１が挿入できるように配設されることから、第１のディスクカートリッジ１１を図２２中矢印Ｅｊ方向に排出するとき、重力に抗する方向に移動させることになるが、このような場合であっても、第１のローラ９２，９２は、回動可能な支持アーム９４，９４によって、第１のディスクカートリッジ１１に対して矢印Ｇ方向の食い込み力が発生する矢印Ｈ方向に回転することから、確実に第１のディスクカートリッジ１１を排出することができる。
【０１６０】
１１−３  第２のディスクカートリッジのローディングについて
第２のディスクカートリッジ３１が挿入されるとき、図２８に示すように、挿入ガイド機構１０１は、第１及び第２のディスクカートリッジ１１，３１の挿入を待機しているとき同じ状態である。すなわち、付勢力の大きい第２の付勢部材１０８の付勢力によって、回動押圧部材１０５，１０５の押圧片１０５ｂが挿入ガイド部材１０３の受け板１０３ａ，１０３ａを押圧することで、挿入ガイド部材１０３は、第１の付勢部材１０７の付勢力に抗して矢印Ｊ方向、すなわち反矢印Ｉ方向に回動され、回動規制片１０３ｂ，１０３ｂがベース１０２の縁部に係止された状態になっている。そして、第２のディスクカートリッジ３１は、挿入ガイド部材１０３の挿入規制片１０４，１０４間に挿入されることになる。
【０１６１】
ここで、仮に、図２９に示すように、小型の第２のディスクカートリッジ３１がカートリッジホルダ６８の挿入口６９の一方に偏った位置から挿入されたときには、挿入規制片１０４，１０４の略垂直面な挿入規制面１０４ａ，１０４ａの何れかに突き当たることになり、挿入が禁止されることになる。
【０１６２】
かくして、第１及び第２のディスクカートリッジ１１，３１は、所定の位置よりカートリッジホルダ６８の挿入口６９よりカートリッジホルダ６８内に挿入されることになる。
【０１６３】
次いで、カートリッジホルダ６８内に挿入された第２のディスクカートリッジ３１は、カートリッジ搬送機構８２によってカートリッジホルダ６８内の所定位置まで搬送されることになる。具体的に、小型の第２のディスクカートリッジ３１を搬送する場合、図２３（Ａ）及び図２３（Ｂ）に示すように、第２のディスクカートリッジ３１が挿入されると、第２の９３，９３が第２のディスクカートリッジ３１の搬送方向の上シェル３６側の両側縁部であって、第３の領域４０ａ（厚さＴ３＝９．１ｍｍ）の周辺部分の第４の領域４０ｂ（厚さＴ４＝７．８ｍｍ）の領域に接触する。この際、第２のローラ９３，９３は、ローラ軸９１が押圧付勢部材９５，９５によって押圧されていることによって、図２４に示すように、上シェル３６側の両側縁部に圧接される。
【０１６４】
なお、第２のディスクカートリッジ３１の搬送時、第２のディスクカートリッジ３１の下シェル３７側の面は、カートリッジホルダ６８のカートリッジ支持片６８ｃ，６８ｃに支持される。そして、第２のディスクカートリッジ３１は、駆動部９７によってローラ軸９１と一体的に第２のローラ９３，９３が一方向に回転すると、カートリッジホルダ６８の内側に向かって移動を開始し、所定位置まで搬送される。なお、第２のディスクカートリッジ３１が所定位置まで搬送されたかは、図示しない検出スイッチによって行われ、第２のディスクカートリッジ３１が所定位置にまで搬送されたことが検出されたとき、搬送は停止する。なお、第１のディスクカートリッジ１１用の第１のローラ９２，９２は、第２のディスクカートリッジ３１の外側に位置する、第２のディスクカートリッジ３１に対して非接触であり、第２のディスクカートリッジ３１の搬送を阻害することはない。
【０１６５】
この状態に至ると、次いで、第２のシャッタ開閉機構８４によるシャッタ板３５ａ，３５ｂの開動作が開始することになる。
【０１６６】
具体的に、第２のシャッタ開閉機構８４は、第２のディスクカートリッジ３１がカートリッジホルダ６８の所定位置まで搬送されるのを待ち受けているとき、図４４乃至図４７に示すような状態にある。すなわち、第２のディスクカートリッジ３１を待ち受けているとき、シャッタ開放アーム１４３のカム突起１４９は、カムギヤ１４２のカム溝１４６の外周側の一端部に位置している。そして、第１のディスクカートリッジ３１がカートリッジホルダ６８内の所定位置まで搬送されると、図４７に示すように、シャッタ開放アーム１４３の係合部１４８は、第２のディスクカートリッジ３１のローテーションホイール３４の被操作部４４に係合する。そして、カムギヤ１４２は、図４５中矢印Ｐ方向に回転する。すると、カムギヤ１４２の回転に伴って、カム突起１４９は、カム溝１４６内を外周側から内周側に向かって移動し、作用部１４６ａ内を移動することによって、シャッタ開放アーム１４３を、図４５中矢印Ｑ方向、すなわち第２のディスクカートリッジ３１のシャッタ板３５ａ，３５ｂを開放する方向にローテーションホイール３４を回動する。すると、第２のディスクカートリッジ１１は、図１０に示した閉状態から図１１に示した開状態にとなる。すなわち、図４８及び図４９に示すように、ローテーションホイール３４がシャッタ板３５ａ，３５ｂを開く状態まで回動されたとき、シャッタ開放アーム１４３のカム突起１４９は、カムギヤ１４２のカム溝１４６の作用部１４６ａから円弧状溝１４６ｂにまで移動する。第２のディスクカートリッジ３１は、上述のように、ローテーションホイール３４が付勢部材４５によってシャッタ板３５ａ，３５ｂが第１及び第２の開口部３９，４３とを閉塞する図１０中反矢印Ｃ方向に回動する方向に付勢されているが、この付勢部材４５の付勢力を受けるシャッタ開放アーム１４３は、カム突起１４９がカム溝１４６の非作用部となっている円弧状溝１４６ｂに位置することによって、付勢部材４５の付勢力がカムギヤ１４２を介して駆動機構８５のギヤ列に伝達されないようにしている。
【０１６７】
シャッタ板３５ａ，３５ｂが第１及び第２の開口部３９，４３を開放すると、次いで、カートリッジホルダ６８に保持されている第２のディスクカートリッジ３１は、記録再生を行う第１のドライブユニット６３と離間した状態にあるので、次いで、昇降機構１６１によって第１のドライブユニット６３に向かって降下される。具体的に、メインラック１１５は、シャッタラックベース１１２とは逆向きにスライドするようになっており、第２のディスクカートリッジ３１をカートリッジホルダ６８内の所定位置にまで搬送するとき、メインラック１１５は、第２の駆動ギヤ１２８によって、図５７中反矢印Ｋ方向にスライドする。これによって、昇降用カム突起１６４が上段溝部１６２ａ内を傾斜溝部１６２ｃ側に移動する。そして、更に、メインラック１１５が図５７中反矢印Ｋ方向にスライドすると、図５８に示すように、昇降用カム突起１６４は、昇降カム溝１６２の傾斜溝部１６２ｃ内を上から下に向かって移動し、最後に、図５９に示すように、下段溝部１６２ｂに移動する。
【０１６８】
このとき、カートリッジホルダ６８の第２のディスクカートリッジ３１を下側から支持しているカートリッジ支持片６８ｃは、第１のドライブユニット６３のベース７１に当接する。そして、カートリッジホルダ６８に保持されている第２のディスクカートリッジ３１は、カートリッジ支持片６８ｃに代わって図１６に示す第２の装着基準部７９に支持されることになり、カートリッジ支持片６８ｃより僅かに浮き上がる。
【０１６９】
また、第２のディスクカートリッジ３１が第２１の装着基準部７９に支持され僅かに浮き上がったときには、図６１に示すように、第２のディスクカートリッジ３１の厚い第３の領域４０ａが押圧機構８６の第２の押圧支持部材１５３の第２の押圧部１５３ａを押圧することで、弾性支持部材１５１が弾性力に抗して反り、これにより、第２のディスクカートリッジ３１は、第２の装着基準部７９に圧着支持されることになる。
【０１７０】
かくして、記録再生装置６１は、第２のディスクカートリッジ３１のローディングが完了し、データの記録や再生を行うことができるようになる。すなわち、第２の光ディスク３３は、図１６に示すディスクテーブル７３ｂによって回転され、光ピックアップ７４によって光ビームが照射され第２の光ディスク３３で反射された戻りの光ビームを検出することによって、第２の光ディスク３３に新たなデータを記録し、また、第２の光ディスク３３に記録されているデータの読み出しを行う。
【０１７１】
１１−４  第２のディスクカートリッジのアンローディングについて
記録再生が終了すると、先ず、昇降機構１６１がカートリッジホルダ６８の降下時とは逆動作を行うことによって、第１のドライブユニット６３から離間するように上昇され、次いで、第２のシャッタ開閉機構８４によってシャッタ板３５ａ，３５ｂが閉じられることになる。すなわち、シャッタ板３５ａ，３５ｂを閉める場合は、カムギヤ１４２が反矢印Ｐ方向に回転し、シャッタ開放アーム１４３が反矢印Ｑ方向に回動することによって行われることになる。
【０１７２】
第２のディスクカートリッジ１１は、この後、カートリッジ搬送機構８２によって、カートリッジホルダ６８より排出されることになる。具体的に、図２４に示すように、第２のディスクカートリッジ３１を排出する（矢印Ｅｊ方向）とき、第２のローラ９３，９３は、回動可能な支持アーム９４，９４によって、第２のディスクカートリッジ３１に対して矢印Ｇ方向の食い込み力が発生する図２４中矢印Ｈ方向に回転する。図１３に示すように、本発明が適用された記録再生装置６１は、ビデオカメラ装置６０の上面から第１及び第２のディスクカートリッジ１１，３１が挿入できるように配設されることから、第２のディスクカートリッジ３１を図２４中矢印Ｅｊ方向に排出するとき、重力に抗する方向に移動させることになるが、このような場合であっても、第２のローラ９３，９３は、回動可能な支持アーム９４，９４によって、第２のディスクカートリッジ３１に対して矢印Ｇ方向の食い込み力が発生する矢印Ｈ方向に回転することから、確実に第２のディスクカートリッジ３１を排出することができる。
【図面の簡単な説明】
【０１７３】
【図１】本発明が適用された記録再生装置に用いられる標準的大きさの第１のディスクカートリッジを表面側から見た斜視図である。
【図２】上記第１のディスクカートリッジの分解斜視図である。
【図３】上記第１のディスクカートリッジを裏面側から見た斜視図である。
【図４】一対のシャッタ板が下シェルの第１の開口部を閉塞している状態を示す平面図である。
【図５】第１の開口部を開放している途中の状態を示す平面図である
【図６】第１及び第２の開口部が開放され、第１の光ディスクの記録再生が行われる状態を示す平面図である。
【図７】本発明が適用された記録再生装置に用いられる小型の第２のディスクカートリッジを上シェル側から見た斜視図である。
【図８】上記第２のディスクカートリッジを下シェル側から見た斜視図である。
【図９】上記第２のディスクカートリッジの分解斜視図である。
【図１０】第１及び第２のシャッタ板が第１及び第２の開口部を閉塞した状態を上シェル及び第２の光ディスクを除いた状態で示した平面図である。
【図１１】第１及び第２のシャッタ板が第１及び第２の開口部を開放した状態を上シェル及び第２の光ディスクを除いた状態で示した平面図である。
【図１２】第１の開口部を開放した状態を下シェル側から見た第２のディスクカートリッジの斜視図である。
【図１３】本発明が適用された記録再生装置をビデオカメラ装置に内蔵した状態を示す斜視図である。
【図１４】本発明が適用された記録再生装置の斜視図である。
【図１５】本発明が適用された記録再生装置にアダプタを取り付ける状態を示す斜視図である。
【図１６】ドライブユニットの斜視図である。
【図１７】記録再生装置よりメインフレームを取り除いた状態を示す斜視図である。
【図１８】カートリッジ搬送機構の斜視図である。
【図１９】上記カートリッジ搬送機構の正面図である。
【図２０】カートリッジ搬送機構の斜視図である。
【図２１】カートリッジ搬送機構に標準的大きさの第１のディスクカートリッジが挿入された状態を示す図であり、（Ａ）は、正面図、（Ｂ）は斜視図である。
【図２２】第１のディスクカートリッジを排出する際のカートリッジ搬送機構の側面図である。
【図２３】カートリッジ搬送機構に標準的大きさの第２のディスクカートリッジが挿入された状態を示す図であり、（Ａ）は、正面図、（Ｂ）は斜視図である。
【図２４】第２のディスクカートリッジを排出する際のカートリッジ搬送機構の側面図である。
【図２５】第１及び第２のディスクカートリッジの挿入ガイド機構をカートリッジホルダに挿入された第１及び第２のディスクカートリッジと向かい合う側から見た斜視図である。
【図２６】第１及び第２のディスクカートリッジの挿入ガイド機構をカートリッジホルダに挿入された第１及び第２のディスクカートリッジと向かい合う側から見た透視斜視図である。
【図２７】標準的大きさの第１のディスクカートリッジがカートリッジホルダに挿入された状態を示す要部斜視図である。
【図２８】小型の第２のディスクカートリッジがカートリッジホルダに挿入された状態を示す要部斜視図である。
【図２９】誤った位置に小型の第２のディスクカートリッジがカートリッジホルダに挿入された状態を示す要部斜視図である。
【図３０】第１のディスクカートリッジの第１のシャッタ開閉機構の斜視図である。
【図３１】上記第１のシャッタ開閉機構及び駆動機構の斜視図である。
【図３２】シャッタラック部材がシャッタラックベースに取り付けられた状態を示す斜視図である。
【図３３】シャッタラック部材の側面図である。
【図３４】上記第１のシャッタ開閉機構の押圧部材の取付状態を示す斜視図である。
【図３５】第１のディスクカートリッジのインナーロータの第１の係合凹部にシャッタラック部材の第１の係合突起が係合した状態を示す要部平面図である。
【図３６】第１のディスクカートリッジがカートリッジホルダから排出方向に移動される直前の状態を示す要部平面図である。
【図３７】上記第１のシャッタ開閉機構の駆動機構を示す要部斜視図である。
【図３８】第１のディスクカートリッジの位置検出機構を示す斜視図である。
【図３９】第１のディスクカートリッジがカートリッジホルダに挿入される前の待機状態における位置検出機構を示す図であり、（Ａ）は、平面図、（Ｂ）は、側面図である。
【図４０】第１のディスクカートリッジがカートリッジホルダに挿入された最初の状態の位置検出機構を示す図であり、（Ａ）は、平面図、（Ｂ）は、側面図である。
【図４１】第１のディスクカートリッジがカートリッジホルダの所定位置に至り第１のディスクカートリッジの位置を検出した状態の位置検出機構を示す図であり、（Ａ）は、平面図、（Ｂ）は、側面図である。
【図４２】第１のディスクカートリッジがカートリッジホルダの所定位置に至り第１のディスクカートリッジの位置を検出した状態の位置検出機構の斜視図である。
【図４３】第１のディスクカートリッジをカートリッジホルダより排出する際のメインラックのカム片とロックアームの被操作片との関係を示す斜視図である。
【図４４】小型の第２のディスクカートリッジ用の第２のシャッタ開閉機構の斜視図である。
【図４５】第２のシャッタ開閉機構の第２のディスクカートリッジが挿入される前の状態を示す平面図である。
【図４６】第２のディスクカートリッジがカートリッジホルダに挿入された状態でシャッタ板が開放される前の状態を示す平面図である。
【図４７】第２のディスクカートリッジの被操作部にシャッタ開放アームが係合した状態を示す斜視図である。
【図４８】第２のシャッタ開閉機構の第２のディスクカートリッジが挿入された状態を示す平面図である。
【図４９】第２のディスクカートリッジがカートリッジホルダに挿入されシャッタ板を開放した状態を示す平面図である。
【図５０】標準的大きさの第１のディスクカートリッジが挿入されたときの第２のシャッタ開閉機構の状態を示す斜視図である。
【図５１】標準的大きさの第１のディスクカートリッジが挿入されたときの第２のシャッタ開閉機構の状態を示す側面図である。
【図５２】ローディングする第１及び第２のディスクカートリッジを押圧する押圧機構を示す斜視図であり、第１のディスクカートリッジがカートリッジホルダに挿入された状態を示す図である。
【図５３】ローディングする第１及び第２のディスクカートリッジを押圧する押圧機構を示す斜視図であり、第２のディスクカートリッジがカートリッジホルダに挿入された状態を示す図である。
【図５４】第１の押圧支持部材とカートリッジホルダの天板部との関係を示す要部斜視図である。
【図５５】押圧機構の正面図である。
【図５６】第１のディスクカートリッジがカートリッジホルダに挿入されたときの第１の押圧支持部材と第２の押圧支持部材との関係を示す側面図である。
【図５７】第１のディスクカートリッジがカートリッジホルダに挿入される際のカートリッジホルダの昇降機構の状態を示す側面図である。
【図５８】カートリッジホルダの所定位置まで第１のディスクカートリッジが挿入された状態の昇降機構の側面図である。
【図５９】カートリッジホルダが第１のドライブユニットに装着された状態を示す側面図である。
【図６０】第１のディスクカートリッジと押圧機構との関係を示す正面図である。
【図６１】第２のディスクカートリッジと押圧機構との関係を示す正面図である。
【符号の説明】
【０１７４】
１１ 第１のディスクカートリッジ、１２ 第１のカートリッジ本体、１３ 第１の光ディスク、１４ インナーロータ、１５ａ，１５ｂ シャッタ板、１８ 第１の開口部、１８ａ，１８ｂ 光ピックアップ用開口部、１８ｃ ディスク回転駆動用開口部、２３ 第２の開口部、２４ ギヤ部、２５ 第１の係合凹部、２６ 第２の係合凹部、２８ 識別凹部、２９ａ 第１の領域、２９ｂ 第２の領域、３１ 第２のディスクカートリッジ、３２ 第２のカートリッジ本体、３３ 第２の光ディスク、３４ ローテーションホイール、３５ａ，３５ｂ シャッタ板、３９ 第１の開口部、３９ａ 光ピックアップ用開口部、３９ｂ 回転駆動用開口部、４０ａ 第３の領域、４０ｂ 第４の領域、４３ 第２の開口部、４４ 被操作部、４５ 付勢部材、６０ ビデオカメラ装置、６１ 記録再生装置、６２ メインフレーム、６２ａ 天板部、６２ｂ 側壁部、 ６２ｂ 側壁部、６３ 第１のドライブユニット、６４ ドライブブロック、６４ 第２のドライブユニット、６５ アダプタ、６７ 挿入ガイド口、６８ カートリッジホルダ、６８ａ 天板部、６８ｂ 側壁部、６８ｃ カートリッジ支持片、６９ 挿入口、７１ ベース、７２ 記録再生部、７３ ディスク回転駆動部、７３ｂ ディスクテーブル、７４ 光ピックアップ、７８ 第１の装着基準部、７９ 第２の装着基準部、８１ ローディング機構、８２ カートリッジ搬送機構、８３ 第１のシャッタ開閉機構、８４ 第２のシャッタ開閉機構、８５ 駆動機構、８６ 押圧機構、８７ 位置検出機構、９１ ローラ軸、９２ 第１のローラ、９３ 第２のローラ、９４ 支持アーム、９４ａ 回動支点部、９５， 押圧付勢部材、９６ 固定片、９７ 駆動部９７ａ 駆動モータ、９７ｂ ギヤ列、９７ｃ プーリ、９７ｄ 無端ベルト、９７ｅ プーリ、９７ｆ 主動ギヤ、９７ｇ 中間ギヤ、９７ｈ 従動ギヤ、１０１ カートリッジ挿入ガイド機構、１１１ シャッタラック部材、１１１ａ ラック部、１１１ｂ 第１の係合突起、１１１ｃ 第２の係合突起、１１１ｄ 回動凹部、１１１ｅ 被押圧突部、１１１ｆ 係合面、１１２ シャッタラックベース、１１２ａ ギヤ部、１１２ｂ 取付用凹部、１１２ｃ 回動軸、１１３ 弾性部材、１１３ａ 第１の弾性片、１１３ｂ 第２の弾性片、１１３ｃ 第３の弾性片、１１３ｄ 取付突起、１１４ 押圧部材、１１４ａ 押圧部、１１５ メインラック、１１５ａ ギヤ部、１１５ｂ ラック部、１１６ 溝部、１１６ａ カム部、１３１ ロック部材、１３１ａ  突き当て部、１３２ ロックアーム、１３２ａ スイッチ押圧片、１３２ｂ 被押圧片、１３３ 挿入検出部材、１３３ａ 支軸、１３３ｂ 押上片、１３３ｂ 押圧片、１３３ｃ 押上片、１３４ 検出スイッチ、１３４ａ 検出子、１３５ 付勢部材、１３６ メインラック、１３６ａ ラック、１３６ｂ カム片、１３７ シャフト、１３７ａ ギヤ、１３７ｂ ギヤ、１４１ ベース板、１４１ａ 支軸、１４１ｂ コイルバネ、１４２ カムギヤ、１４２ａ カム溝、１４２ａ 支軸、１４３ シャッタ開放アーム、１４４ 検出部材、１４５ ギヤ部、１４６ カム溝、１４６ａ 作用部、１４６ｂ 円弧状溝、１４６ｃ 逃げ孔、１４７ 回動支点部材、１４８ 係合部、１４８ａ ガイド孔、１４９ カム突起、１５１ 弾性支持部材、１５２ 第１の押圧支持部材、１５２ａ 押圧部、１５２ｂ 係合段部���１５３ 第２の押圧支持部材、１５３ａ 押圧部、１５４ 固定部、１６１ 昇降機構、１６２ 昇降カム溝、１６３ 昇降ガイド溝、１６４ 昇降用カム突起、１６５ 昇降ガイド突起、１６５ａ ガイド孔
【図１】
2008117448.tif 000003
【図２】
2008117448.tif 000004
【図３】
2008117448.tif 000005
【図４】
2008117448.tif 000006
【図５】
2008117448.tif 000007
【図６】
2008117448.tif 000008
【図７】
2008117448.tif 000009
【図８】
2008117448.tif 000010
【図９】
2008117448.tif 000011
【図１０】
2008117448.tif 000012
【図１１】
2008117448.tif 000013
【図１２】
2008117448.tif 000014
【図１３】
2008117448.tif 000015
【図１４】
2008117448.tif 000016
【図１５】
2008117448.tif 000017
【図１６】
2008117448.tif 000018
【図１７】
2008117448.tif 000019
【図１８】
2008117448.tif 000020
【図１９】
2008117448.tif 000021
【図２０】
2008117448.tif 000022
【図２１】
2008117448.tif 000023
【図２２】
2008117448.tif 000024
【図２３】
2008117448.tif 000025
【図２４】
2008117448.tif 000026
【図２５】
2008117448.tif 000027
【図２６】
2008117448.tif 000028
【図２７】
2008117448.tif 000029
【図２８】
2008117448.tif 000030
【図２９】
2008117448.tif 000031
【図３０】
2008117448.tif 000032
【図３１】
2008117448.tif 000033
【図３２】
2008117448.tif 000034
【図３３】
2008117448.tif 000035
【図３４】
2008117448.tif 000036
【図３５】
2008117448.tif 000037
【図３６】
2008117448.tif 000038
【図３７】
2008117448.tif 000039
【図３８】
2008117448.tif 000040
【図３９】
2008117448.tif 000041
【図４０】
2008117448.tif 000042
【図４１】
2008117448.tif 000043
【図４２】
2008117448.tif 000044
【図４３】
2008117448.tif 000045
【図４４】
2008117448.tif 000046
【図４５】
2008117448.tif 000047
【図４６】
2008117448.tif 000048
【図４７】
2008117448.tif 000049
【図４８】
2008117448.tif 000050
【図４９】
2008117448.tif 000051
【図５０】
2008117448.tif 000052
【図５１】
2008117448.tif 000053
【図５２】
2008117448.tif 000054
【図５３】
2008117448.tif 000055
【図５４】
2008117448.tif 000056
【図５５】
2008117448.tif 000057
【図５６】
2008117448.tif 000058
【図５７】
2008117448.tif 000059
【図５８】
2008117448.tif 000060
【図５９】
2008117448.tif 000061
【図６０】
2008117448.tif 000062
【図６１】
2008117448.tif 000063